(57)【要約】      （修正有） 【課題】ユーザが乗物に乗るときに、目的地に応じた情報をユーザに提供することができる情報提供システムを提供すること。  【解決手段】ユーザに携帯される携帯端末５、カード６と、改札機３−１に設けられた改札制御装置４−１と、サーバ１とを具備している。カード６は、ユーザに携帯され、乗車地情報と、降車地情報とを含む乗車券情報を格納する。改札制御装置４−１は、カード６に格納された乗車券情報を読み取って、乗車地情報と降車地情報とを含む読取乗車券情報を送信する。サーバ１は、改札制御装置４−１からの読取乗車券情報を受信し、検索イベントデータベースを参照して、読取乗車券情報に含まれる降車地情報に対応する降車地イベント情報を読み出し、降車地イベント情報が携帯端末５の表示装置に表示されるように、降車地イベント情報を携帯端末５に送信する。  【選択図】図２
2006127430.tif 000002
【特許請求の範囲】
【請求項１】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと、
改札機に設けられ、前記ユーザが前記乗物に乗車するために前記改札機を通過するときに、前記カードに格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と、
前記改札制御装置にネットワークを介して接続されたサーバとを具備し、
前記サーバは、制御装置と、記憶装置とを具備し、
前記記憶装置は、
前記降車地情報と、前記降車地イベント情報とが格納された検索イベントデータベースを具備し、
前記制御装置は、
前記改札読取部からの前記読取乗車券情報を受信する受信部と、
前記検索イベントデータベースを参照して、前記読取乗車券情報に含まれる前記降車地情報に対応する前記降車地イベント情報を読み出す読出部と、
前記読出部により読み出された前記降車地イベント情報を前記改札制御装置に送信する送信部と
を具備する情報提供システム。
【請求項２】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末と、
改札機に設けられ、前記ユーザが前記乗物に乗車するために前記改札機を通過するときに、前記情報記憶部に格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と、
前記改札制御装置にネットワークを介して接続されたサーバとを具備し、
前記サーバは、制御装置と、記憶装置とを具備し、
前記記憶装置は、
前記降車地情報と、前記降車地イベント情報とが格納された検索イベントデータベースを具備し、
前記制御装置は、
前記改札読取部からの前記読取乗車券情報を受信する受信部と、
前記検索イベントデータベースを参照して、前記読取乗車券情報に含まれる前記降車地情報に対応する前記降車地イベント情報を読み出す読出部と、
前記読出部により読み出された前記降車地イベント情報を前記改札制御装置に送信する送信部と
を具備する情報提供システム。
【請求項３】
請求項１又は２に記載の情報提供システムにおいて、
前記検索イベントデータベースには、各々異なる地域を表す複数の地域情報と、各々異なる地域に関連する情報を表す複数のイベント情報とが格納され、
前記読出部は、
前記受信部が前記読取乗車券情報を受信したとき、前記検索イベントデータベースを参照して、前記複数の地域情報の中から、前記読取乗車券情報に含まれる前記降車地情報に一致する地域情報を検索する地域情報検索部と、
前記検索イベントデータベースを参照して、前記複数のイベント情報の中から、前記検索された地域情報に対応するイベント情報を前記降車地イベント情報として読み出すイベント情報検索部とを含む
情報提供システム。
【請求項４】
請求項３に記載の情報提供システムにおいて、
前記読取乗車券情報は、更に、前記改札読取部が前記乗車券情報を読み取ったときの時刻として乗車時刻を含み、
前記記憶装置は、
前記乗車地情報と、前記降車地情報と、前記乗物が前記乗車地から前記降車地まで所要する検索所要時間とが格納された所要時間データベースと、
前記複数の地域情報と前記複数のイベント情報とが格納された複数のイベントデータベースとを具備し、
前記複数のイベントデータベースには、それぞれ複数の時刻が更に格納され、
前記読出部は、更に、
前記受信部が前記読取乗車券情報を受信したとき、前記所要時間データベースを参照して、前記読取乗車券情報に含まれる前記乗車時刻と、前記検索所要時間とに基づいて、前記乗物が前記降車地に到着する到着時刻を決定する到着時刻決定部と、
前記複数のイベントデータベースの中から、前記到着時刻に対応する時刻が格納されたイベントデータベースを前記検索イベントデータベースとして検索するイベントデータベース検索部とを含む
情報提供システム。
【請求項５】
請求項４に記載の情報提供システムにおいて、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出部は、更に、
前記受信部が前記読取乗車券情報を受信したとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索部と、
前記所要時間データベースを参照して、前記複数の参照所要時間の中から、前記検索された参照乗車地情報と前記検索された参照降車地情報とに対応する参照所要時間を前記検索所要時間として検索する所要時間検索部とを含む
情報提供システム。
【請求項６】
請求項１〜５のいずれかに記載の情報提供システムにおいて、
前記乗車券情報は定期券として使われ、
前記読取乗車券情報は、更に、前記改札制御装置を識別する検索アドレスを含み、
前記読取乗車券情報は、前記乗車地情報と前記降車地情報との一方を表す第１乗車地情報と、前記乗車地情報と前記降車地情報との他方を表す第２乗車地情報とを含み、
前記記憶装置は、
各々異なる複数のアドレスと、各々異なる乗車地を表す複数の設定乗車地情報とが格納された改札機データベースを具備し、
前記読出部は、更に、
前記受信部が前記読取乗車券情報を受信したとき、前記改札機データベースを参照して、前記複数の設定乗車地情報の中から、前記検索アドレスに対応する設定乗車地情報を検索する設定乗車地情報検索部と、
前記改札機データベースを参照して、前記読取乗車券情報に含まれる前記第１乗車地情報が前記検索された設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記検索された設定乗車地情報と一致する場合、前記読取乗車券情報に含まれる前記第２乗車地情報、前記第１乗車地情報をそれぞれ前記乗車地情報、前記降車地情報として決定する乗車地降車地決定部とを含む
情報提供システム。
【請求項７】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと、
前記改札機に設けられたサーバとを具備し、
前記サーバは、制御装置と、記憶装置とを具備し、
前記記憶装置は、
前記降車地情報と、前記降車地に関連する情報を表す降車地イベント情報とが格納された検索イベントデータベースを具備し、
前記制御装置は、
前記ユーザが前記乗物に乗車するために前記改札機を通過するときに、前記カードに格納された前記乗車券情報を読み取って、前記乗車地情報と前記降車地情報とを含む読取乗車券情報を生成する改札読取部と、
前記検索イベントデータベースを参照して、前記読取乗車券情報に含まれる前記降車地情報に対応する前記降車地イベント情報を読み出す読出部と、
前記読出部により読み出された前記降車地イベント情報が前記表示装置に表示されるように、前記降車地イベント情報を前記携帯端末に送信する改札送信部と
を具備する情報提供システム。
【請求項８】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末と、
前記改札機に設けられたサーバとを具備し、
前記サーバは、制御装置と、記憶装置とを具備し、
前記記憶装置は、
前記降車地情報と、前記降車地に関連する情報を表す降車地イベント情報とが格納された検索イベントデータベースを具備し、
前記制御装置は、
前記ユーザが前記乗物に乗車するために前記改札機を通過するときに、前記情報記憶部に格納された前記乗車券情報を読み取って、前記乗車地情報と前記降車地情報とを含む読取乗車券情報を生成する改札読取部と、
前記検索イベントデータベースを参照して、前記読取乗車券情報に含まれる前記降車地情報に対応する前記降車地イベント情報を読み出す読出部と、
前記読出部により読み出された前記降車地イベント情報が前記表示装置に表示されるように、前記降車地イベント情報を前記携帯端末に送信する改札送信部と
を具備する情報提供システム。
【請求項９】
請求項７又は８に記載の情報提供システムにおいて、
前記検索イベントデータベースには、各々異なる地域を表す複数の地域情報と、各々異なる地域に関連する情報を表す複数のイベント情報とが格納され、
前記読出部は、
前記改札読取部が前記読取乗車券情報を読み取ったとき、前記検索イベントデータベースを参照して、前記複数の地域情報の中から、前記読取乗車券情報に含まれる前記降車地情報に一致する地域情報を検索する地域情報検索部と、
前記検索イベントデータベースを参照して、前記複数のイベント情報の中から、前記検索された地域情報に対応するイベント情報を前記降車地イベント情報として読み出すイベント情報検索部とを含む
情報提供システム。
【請求項１０】
請求項９に記載の情報提供システムにおいて、
前記読取乗車券情報は、更に、前記改札読取部が前記乗車券情報を読み取ったときの時刻として乗車時刻を含み、
前記記憶装置は、更に、
前記乗車地情報と、前記降車地情報と、前記乗物が前記乗車地から前記降車地まで所要する検索所要時間とが格納された所要時間データベースと、
前記複数の地域情報と前記複数のイベント情報とが格納された複数のイベントデータベースとを具備し、
前記複数のイベントデータベースには、それぞれ複数の時刻が更に格納され、
前記読出部は、更に、
前記改札読取部が前記読取乗車券情報を読み取ったとき、前記所要時間データベースを参照して、前記読取乗車券情報に含まれる前記乗車時刻と、前記検索所要時間とに基づいて、前記乗物が前記降車地に到着する到着時刻を決定する到着時刻決定部と、
前記複数のイベントデータベースの中から、前記到着時刻に対応する時刻が格納されたイベントデータベースを前記検索イベントデータベースとして検索するイベントデータベース検索部とを含む
情報提供システム。
【請求項１１】
請求項１０に記載の情報提供システムにおいて、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出部は、更に、
前記改札読取部が前記読取乗車券情報を読み取ったとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索部と、
前記所要時間データベースを参照して、前記複数の参照所要時間の中から、前記検索された参照乗車地情報と前記検索された参照降車地情報とに対応する参照所要時間を前記検索所要時間として検索する所要時間検索部とを含む
情報提供システム。
【請求項１２】
請求項７〜１１のいずれかに記載の情報提供システムにおいて、
前記乗車券情報は定期券として使われ、
前記読取乗車券情報は、前記乗車地情報と前記降車地情報との一方を表す第１乗車地情報と、前記乗車地情報と前記降車地情報との他方を表す第２乗車地情報とを含み、
前記記憶装置は、更に、
前記乗車地を表す設定乗車地情報が格納された改札機データベースを具備し、
前記読出部は、更に、
前記改札読取部が前記読取乗車券情報を読み取ったとき、前記改札機データベースを参照して、前記読取乗車券情報に含まれる前記第１乗車地情報が前記設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記設定乗車地情報と一致する場合、前記読取乗車券情報に含まれる前記第２乗車地情報、前記第１乗車地情報をそれぞれ前記乗車地情報、前記降車地情報として決定する乗車地降車地決定部を含む
情報提供システム。
【請求項１３】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと、
改札機に設けられ、前記ユーザが前記乗物に乗車するために前記改札機を通過するときに、前記カードに格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と
を具備するシステムに適用されたサーバであって、
前記改札制御装置にネットワークを介して接続された制御装置と、
記憶装置とを具備し、
前記記憶装置は、
前記降車地情報と、前記降車地イベント情報とが格納された検索イベントデータベースを具備し、
前記制御装置は、
前記改札読取部からの前記読取乗車券情報を受信する受信部と、
前記検索イベントデータベースを参照して、前記読取乗車券情報に含まれる前記降車地情報に対応する前記降車地イベント情報を読み出す読出部と、
前記読出部により読み出された前記降車地イベント情報を前記改札制御装置に送信する送信部と
を具備するサーバ。
【請求項１４】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末と、
改札機に設けられ、前記ユーザが前記乗物に乗車するために前記改札機を通過するときに、前記情報記憶部に格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と
を具備するシステムに適用されたサーバであって、
前記改札制御装置にネットワークを介して接続された制御装置と、
記憶装置とを具備し、
前記記憶装置は、
前記降車地情報と、前記降車地イベント情報とが格納された検索イベントデータベースを具備し、
前記制御装置は、
前記改札読取部からの前記読取乗車券情報を受信する受信部と、
前記検索イベントデータベースを参照して、前記読取乗車券情報に含まれる前記降車地情報に対応する前記降車地イベント情報を読み出す読出部と、
前記読出部により読み出された前記降車地イベント情報を前記改札制御装置に送信する送信部と
を具備するサーバ。
【請求項１５】
請求項１３又は１４に記載のサーバにおいて、
前記検索イベントデータベースには、各々異なる地域を表す複数の地域情報と、各々異なる地域に関連する情報を表す複数のイベント情報とが格納され、
前記読出部は、
前記受信部が前記読取乗車券情報を受信したとき、前記検索イベントデータベースを参照して、前記複数の地域情報の中から、前記読取乗車券情報に含まれる前記降車地情報に一致する地域情報を検索する地域情報検索部と、
前記検索イベントデータベースを参照して、前記複数のイベント情報の中から、前記検索された地域情報に対応するイベント情報を前記降車地イベント情報として読み出すイベント情報検索部とを含む
サーバ。
【請求項１６】
請求項１５に記載のサーバにおいて、
前記読取乗車券情報は、更に、前記改札読取部が前記乗車券情報を読み取ったときの時刻として乗車時刻を含み、
前記記憶装置は、更に、
前記乗車地情報と、前記降車地情報と、前記乗物が前記乗車地から前記降車地まで所要する検索所要時間とが格納された所要時間データベースと、
前記複数の地域情報と前記複数のイベント情報とが格納された複数のイベントデータベースとを具備し、
前記複数のイベントデータベースには、それぞれ複数の時刻が更に格納され、
前記読出部は、更に、
前記受信部が前記読取乗車券情報を受信したとき、前記所要時間データベースを参照して、前記読取乗車券情報に含まれる前記乗車時刻と、前記検索所要時間とに基づいて、前記乗物が前記降車地に到着する到着時刻を決定する到着時刻決定部と、
前記複数のイベントデータベースの中から、前記到着時刻に対応する時刻が格納されたイベントデータベースを前記検索イベントデータベースとして検索するイベントデータベース検索部とを含む
サーバ。
【請求項１７】
請求項１６に記載のサーバにおいて、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出部は、更に、
前記受信部が前記読取乗車券情報を受信したとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索部と、
前記所要時間データベースを参照して、前記複数の参照所要時間の中から、前記検索された参照乗車地情報と前記検索された参照降車地情報とに対応する参照所要時間を前記検索所要時間として検索する所要時間検索部とを含む
サーバ。
【請求項１８】
請求項１３〜１７のいずれかに記載のサーバにおいて、
前記乗車券情報は定期券として使われ、
前記読取乗車券情報は、更に、前記改札制御装置を識別する検索アドレスを含み、
前記読取乗車券情報は、前記乗車地情報と前記降車地情報との一方を表す第１乗車地情報と、前記乗車地情報と前記降車地情報との他方を表す第２乗車地情報とを含み、
前記記憶装置は、更に、
各々異なる複数のアドレスと、各々異なる乗車地を表す複数の設定乗車地情報とが格納された改札機データベースを具備し、
前記読出部は、更に、
前記受信部が前記読取乗車券情報を受信したとき、前記改札機データベースを参照して、前記複数の設定乗車地情報の中から、前記検索アドレスに対応する設定乗車地情報を検索する設定乗車地情報検索部と、
前記改札機データベースを参照して、前記読取乗車券情報に含まれる前記第１乗車地情報が前記検索された設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記検索された設定乗車地情報と一致する場合、前記読取乗車券情報に含まれる前記第２乗車地情報、前記第１乗車地情報をそれぞれ前記乗車地情報、前記降車地情報として決定する乗車地降車地決定部とを含む
サーバ。
【請求項１９】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと
を具備するシステムに適用され、前記改札機に設けられたサーバであって、
制御装置と、
記憶装置とを具備し、
前記記憶装置は、
前記降車地情報と、前記降車地に関連する情報を表す降車地イベント情報とが格納された検索イベントデータベースを具備し、
前記制御装置は、
前記ユーザが前記乗物に乗車するために前記改札機を通過するときに、前記カードに格納された前記乗車券情報を読み取って、前記乗車地情報と前記降車地情報とを含む読取乗車券情報を生成する改札読取部と、
前記検索イベントデータベースを参照して、前記読取乗車券情報に含まれる前記降車地情報に対応する前記降車地イベント情報を読み出す読出部と、
前記読出部により読み出された前記降車地イベント情報が前記表示装置に表示されるように、前記降車地イベント情報を前記携帯端末に送信する改札送信部と
を具備するサーバ。
【請求項２０】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末
を具備するシステムに適用され、前記改札機に設けられたサーバであって、
制御装置と、
記憶装置とを具備し、
前記記憶装置は、
前記降車地情報と、前記降車地に関連する情報を表す降車地イベント情報とが格納された検索イベントデータベースを具備し、
前記制御装置は、
前記ユーザが前記乗物に乗車するために前記改札機を通過するときに、前記情報記憶部に格納された前記乗車券情報を読み取って、前記乗車地情報と前記降車地情報とを含む読取乗車券情報を生成する改札読取部と、
前記検索イベントデータベースを参照して、前記読取乗車券情報に含まれる前記降車地情報に対応する前記降車地イベント情報を読み出す読出部と、
前記読出部により読み出された前記降車地イベント情報が前記表示装置に表示されるように、前記降車地イベント情報を前記携帯端末に送信する改札送信部と
を具備するサーバ。
【請求項２１】
請求項１９又は２０に記載のサーバにおいて、
前記検索イベントデータベースには、各々異なる地域を表す複数の地域情報と、各々異なる地域に関連する情報を表す複数のイベント情報とが格納され、
前記読出部は、
前記改札読取部が前記読取乗車券情報を読み取ったとき、前記検索イベントデータベースを参照して、前記複数の地域情報の中から、前記読取乗車券情報に含まれる前記降車地情報に一致する地域情報を検索する地域情報検索部と、
前記検索イベントデータベースを参照して、前記複数のイベント情報の中から、前記検索された地域情報に対応するイベント情報を前記降車地イベント情報として読み出すイベント情報検索部とを含む
サーバ。
【請求項２２】
請求項２１に記載のサーバにおいて、
前記読取乗車券情報は、更に、前記改札読取部が前記乗車券情報を読み取ったときの時刻として乗車時刻を含み、
前記記憶装置は、更に、
前記乗車地情報と、前記降車地情報と、前記乗物が前記乗車地から前記降車地まで所要する検索所要時間とが格納された所要時間データベースと、
前記複数の地域情報と前記複数のイベント情報とが格納された複数のイベントデータベースとを具備し、
前記複数のイベントデータベースには、それぞれ複数の時刻が更に格納され、
前記読出部は、更に、
前記改札読取部が前記読取乗車券情報を読み取ったとき、前記所要時間データベースを参照して、前記読取乗車券情報に含まれる前記乗車時刻と、前記検索所要時間とに基づいて、前記乗物が前記降車地に到着する到着時刻を決定する到着時刻決定部と、
前記複数のイベントデータベースの中から、前記到着時刻に対応する時刻が格納されたイベントデータベースを前記検索イベントデータベースとして検索するイベントデータベース検索部とを含む
サーバ。
【請求項２３】
請求項２２に記載のサーバにおいて、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出部は、更に、
前記改札読取部が前記読取乗車券情報を読み取ったとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索部と、
前記所要時間データベースを参照して、前記複数の参照所要時間の中から、前記検索された参照乗車地情報と前記検索された参照降車地情報とに対応する参照所要時間を前記検索所要時間として検索する所要時間検索部とを含む
サーバ。
【請求項２４】
請求項１９〜２３のいずれかに記載のサーバにおいて、
前記乗車券情報は定期券として使われ、
前記読取乗車券情報は、前記乗車地情報と前記降車地情報との一方を表す第１乗車地情報と、前記乗車地情報と前記降車地情報との他方を表す第２乗車地情報とを含み、
前記記憶装置は、更に、
前記乗車地を表す設定乗車地情報が格納された改札機データベースを具備し、
前記読出部は、更に、
前記改札読取部が前記読取乗車券情報を読み取ったとき、前記改札機データベースを参照して、前記読取乗車券情報に含まれる前記第１乗車地情報が前記設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記設定乗車地情報と一致する場合、前記読取乗車券情報に含まれる前記第２乗車地情報、前記第１乗車地情報をそれぞれ前記乗車地情報、前記降車地情報として決定する乗車地降車地決定部を含む
サーバ。
【請求項２５】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと、
改札機に設けられ、前記ユーザが前記乗物に乗車するために前記改札機を通過するときに、前記カードに格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と
を具備するシステムに適用されるコンピュータを用いて前記ユーザに情報を提供する方法であって、
前記改札読取部からの前記読取乗車券情報を受信する受信ステップと、
前記降車地情報と前記降車地イベント情報とが格納された検索イベントデータベースを参照して、前記読取乗車券情報に含まれる前記降車地情報に対応する前記降車地イベント情報を読み出す読出ステップと、
前記読出ステップにより読み出された前記降車地イベント情報を前記改札制御装置に送信する送信ステップと
を具備する情報提供方法。
【請求項２６】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末と、
改札機に設けられ、前記ユーザが前記乗物に乗車するために前記改札機を通過するときに、前記情報記憶部に格納された前記乗車券情報を読み取って、前記乗車地情報と前記降車地情報とを含む読取乗車券情報を送信する改札読取部と、前記降車地に関連する情報を表す降車地イベント情報が前記表示装置に表示されるように、前記降車地イベント情報を前記携帯端末に送信する改札送信部とを備えた改札制御装置と
を具備するシステムに適用されるコンピュータを用いて前記ユーザに情報を提供する方法であって、
前記改札読取部からの前記読取乗車券情報を受信する受信ステップと、
前記降車地情報と前記降車地イベント情報とが格納された検索イベントデータベースを参照して、前記読取乗車券情報に含まれる前記降車地情報に対応する前記降車地イベント情報を読み出す読出ステップと、
前記読出ステップにより読み出された前記降車地イベント情報を前記改札制御装置に送信する送信ステップと
を具備する情報提供方法。
【請求項２７】
請求項２５又は２６に記載の情報提供方法において、
前記検索イベントデータベースには、各々異なる地域を表す複数の地域情報と、各々異なる地域に関連する情報を表す複数のイベント情報とが格納され、
前記読出ステップは、
前記受信ステップにより前記読取乗車券情報を受信したとき、前記検索イベントデータベースを参照して、前記複数の地域情報の中から、前記読取乗車券情報に含まれる前記降車地情報に一致する地域情報を検索する地域情報検索ステップと、
前記検索イベントデータベースを参照して、前記複数のイベント情報の中から、前記検索された地域情報に対応するイベント情報を前記降車地イベント情報として読み出すイベント情報検索ステップと
を含む情報提供方法。
【請求項２８】
請求項２７に記載の情報提供方法において、
前記読取乗車券情報は、更に、前記改札読取部が前記乗車券情報を読み取ったときの時刻として乗車時刻を含み、
前記読出ステップは、更に、
前記受信ステップにより前記読取乗車券情報を受信したとき、前記乗車地情報と、前記降車地情報と、前記乗物が前記乗車地から前記降車地まで所要する検索所要時間とが格納された所要時間データベースを参照して、前記読取乗車券情報に含まれる前記乗車時刻と、前記検索所要時間とに基づいて、前記乗物が前記降車地に到着する到着時刻を決定する到着時刻決定ステップと、
それぞれ複数の時刻が格納された複数のイベントデータベースの中から、前記到着時刻に対応する時刻が格納されたイベントデータベースを前記検索イベントデータベースとして検索するイベントデータベース検索ステップと
を含む情報提供方法。
【請求項２９】
請求項２８に記載の情報提供方法において、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出ステップは、更に、
前記受信ステップにより前記読取乗車券情報を受信したとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索ステップと、
前記所要時間データベースを参照して、前記複数の参照所要時間の中から、前記検索された参照乗車地情報と前記検索された参照降車地情報とに対応する参照所要時間を前記検索所要時間として検索する所要時間検索ステップと
を含む情報提供方法。
【請求項３０】
請求項２５〜２９のいずれかに記載の情報提供方法において、
前記乗車券情報は定期券として使われ、
前記読取乗車券情報は、更に、前記改札制御装置を識別する検索アドレスを含み、
前記読取乗車券情報は、前記乗車地情報と前記降車地情報との一方を表す第１乗車地情報と、前記乗車地情報と前記降車地情報との他方を表す第２乗車地情報とを含み、
前記読出ステップは、更に、
前記受信ステップにより前記読取乗車券情報を受信したとき、各々異なる複数のアドレスと、各々異なる乗車地を表す複数の設定乗車地情報とが格納された改札機データベースを参照して、前記複数の設定乗車地情報の中から、前記検索アドレスに対応する設定乗車地情報を検索する設定乗車地情報検索ステップと、
前記改札機データベースを参照して、前記読取乗車券情報に含まれる前記第１乗車地情報が前記検索された設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記検索された設定乗車地情報と一致する場合、前記読取乗車券情報に含まれる前記第２乗車地情報、前記第１乗車地情報をそれぞれ前記乗車地情報、前記降車地情報として決定する乗車地降車地決定ステップと
を含む情報提供方法。
【請求項３１】
ユーザに携帯され、表示装置を備えた携帯端末と、
前記ユーザに携帯され、前記ユーザが乗物に乗車する乗車地を表す乗車地情報と、前記ユーザが前記乗物から降車する降車地を表す降車地情報とを含む乗車券情報を格納するカードと
を具備するシステムに適用され、改札機に設けられたコンピュータを用いて前記ユーザに情報を提供する方法であって、
前記ユーザが前記乗物に乗車するために前記改札機を通過するときに、前記カードに格納された前記乗車券情報を読み取って、前記乗車地情報と前記降車地情報とを含む読取乗車券情報を生成する改札読取ステップと、
前記降車地情報と、前記降車地に関連する情報を表す降車地イベント情報とが格納された検索イベントデータベースを参照して、前記読取乗車券情報に含まれる前記降車地情報に対応する前記降車地イベント情報を読み出す読出ステップと、
前記読出ステップにより読み出された前記降車地イベント情報が前記表示装置に表示されるように、前記降車地イベント情報を前記携帯端末に送信する改札送信ステップと
を具備する情報提供方法。
【請求項３２】
ユーザに携帯され、表示装置と、前記ユーザが乗物に乗車する乗車地を表す乗車地情報と、前記ユーザが前記乗物から降車する降車地を表す降車地情報とを含む乗車券情報を格納する情報記憶部とを備えた携帯端末
を具備するシステムに適用され、改札機に設けられたコンピュータを用いて前記ユーザに情報を提供する方法であって、
前記ユーザが前記乗物に乗車するために前記改札機を通過するときに、前記情報記憶部に格納された前記乗車券情報を読み取って、前記乗車地情報と前記降車地情報とを含む読取乗車券情報を生成する改札読取ステップと、
前記降車地情報と、前記降車地に関連する情報を表す降車地イベント情報とが格納された検索イベントデータベースを参照して、前記読取乗車券情報に含まれる前記降車地情報に対応する前記降車地イベント情報を読み出す読出ステップと、
前記読出ステップにより読み出された前記降車地イベント情報が前記表示装置に表示されるように、前記降車地イベント情報を前記携帯端末に送信する改札送信ステップと
を具備する情報提供方法。
【請求項３３】
請求項３１又は３２に記載の情報提供方法において、
前記検索イベントデータベースには、各々異なる地域を表す複数の地域情報と、各々異なる地域に関連する情報を表す複数のイベント情報とが格納され、
前記読出ステップは、
前記改札読取ステップにより前記読取乗車券情報を読み取ったとき、前記検索イベントデータベースを参照して、前記複数の地域情報の中から、前記読取乗車券情報に含まれる前記降車地情報に一致する地域情報を検索する地域情報検索ステップと、
前記検索イベントデータベースを参照して、前記複数のイベント情報の中から、前記検索された地域情報に対応するイベント情報を前記降車地イベント情報として読み出すイベント情報検索ステップと
を含む情報提供方法。
【請求項３４】
請求項３３に記載の情報提供方法において、
前記読取乗車券情報は、更に、前記改札読取ステップにより前記乗車券情報を読み取ったときの時刻として乗車時刻を含み、
前記読出ステップは、更に、
前記改札読取ステップにより前記読取乗車券情報を読み取ったとき、前記乗車地情報と、前記降車地情報と、前記乗物が前記乗車地から前記降車地まで所要する検索所要時間とが格納された所要時間データベースを参照して、前記読取乗車券情報に含まれる前記乗車時刻と、前記検索所要時間とに基づいて、前記乗物が前記降車地に到着する到着時刻を決定する到着時刻決定ステップと、
それぞれ複数の時刻が格納された複数のイベントデータベースの中から、前記到着時刻に対応する時刻が格納されたイベントデータベースを前記検索イベントデータベースとして検索するイベントデータベース検索ステップと
を含む情報提供方法。
【請求項３５】
請求項３４に記載の情報提供方法において、
前記所要時間データベースには、各々異なる乗車地を表す複数の参照乗車地情報と、各々異なる降車地を表す複数の参照降車地情報と、各々異なる所要時間を表す複数の参照所要時間とが格納され、
前記読出ステップは、更に、
前記改札読取ステップにより前記読取乗車券情報を読み取ったとき、前記所要時間データベースを参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する乗車券情報検索ステップと、
前記所要時間データベースを参照して、前記複数の参照所要時間の中から、前記検索された参照乗車地情報と前記検索された参照降車地情報とに対応する参照所要時間を前記検索所要時間として検索する所要時間検索ステップと
を含む情報提供方法。
【請求項３６】
請求項３１〜３５のいずれかに記載の情報提供方法において、
前記カードは定期券として使われ、
前記読取乗車券情報は、前記乗車地情報と前記降車地情報との一方を表す第１乗車地情報と、前記乗車地情報と前記降車地情報との他方を表す第２乗車地情報とを含み、
前記記憶装置は、更に、
前記乗車地を表す設定乗車地情報が格納された改札機データベースを具備し、
前記読出ステップは、更に、
前記改札読取ステップにより前記読取乗車券情報を読み取ったとき、前記改札機データベースを参照して、前記読取乗車券情報に含まれる前記第１乗車地情報が前記設定乗車地情報と一致する場合、前記読取乗車券情報に含まれる前記第１乗車地情報、前記第２乗車地情報をそれぞれ前記乗車地情報、前記降車地情報として決定し、前記読取乗車券情報に含まれる前記第２乗車地情報が前記設定乗車地情報と一致する場合、前記読取乗車券情報に含まれる前記第２乗車地情報、前記第１乗車地情報をそれぞれ前記乗車地情報、前記降車地情報として決定する乗車地降車地決定ステップ
を含む情報提供方法。
【請求項３７】
請求項２５〜３６のいずれかに記載の情報提供方法の各ステップを前記コンピュータに実行させるコンピュータプログラム。
【発明の詳細な説明】
【技術分野】
【０００１】
本発明は、ユーザに情報を提供する情報提供システムに関する。
【背景技術】
【０００２】
ユーザが現在地から乗物（例示；列車）に乗る際に、自動改札機（以下、改札機）が利用されている。ユーザが乗物に乗車するための乗車券（例示；切符、定期券）が使われる。乗車券は、磁気カードやＩＣカードで例示されるようなカードとして発行される。ユーザは、乗物に乗車するために、現在地である乗車地からカードを用いて改札機を通過する。この場合、ユーザは、乗車地から乗物に乗って、目的地である降車地に移動することができる。
【０００３】
このように、ユーザは、乗物に乗る際に目的地（降車地）を決めている場合がある。また、ユーザは、目的地に移動することを決めていても、目的地での予定（行動）を決めていない場合もある。このような場合、ユーザは、目的地に移動しても、目的地で時間を無駄にする可能性がある。ユーザが乗物に乗るときに、目的地に応じた情報をユーザに提供することができる情報提供システムが望まれる。
【０００４】
ユーザに情報を提供するシステムについて紹介する。
【０００５】
特開２００３−４４８８４号公報（特許文献１）には、駅において広告情報を人に提示できる機会を高め、しかも使用者別の広告情報を提示可能とする、改札機を用いた広告システムが開示されている。この広告システムは、改札機本体と、読取装置と、広告データベースと、選択手段と、表示器とを備えることを特徴としている。改札機本体は、改札口における人の進入側の一端部に定期券を投入する投入スロットを有し他端部に定期券を排出する排出スロットを備えている。読取装置は、投入スロットに投入された定期券に記録されている使用者別情報を読み取る。広告データベースには、定期券に記録される使用者別情報に対応付けた広告情報が登録されている。選択手段は、読取装置により定期券から読み取った使用者別情報を広告データベースに照合するとともに広告情報を選択する。表示器は、改札機本体の近傍において定期券の使用者に視認可能な部位に配置され選択手段により選択された広告情報を表示する。
このように、特許文献１に記載されたシステムは、ユーザが定期券を用いて改札機を通過するとき、広告（広告情報）をユーザに提供するものである。
【０００６】
特開２００３−４４８８５号公報（特許文献２）には、ＩＣカードを用いた自動改札機を利用して、個々の利用者毎の個人情報に応じた広告を行なうことができるようにした、自動改札機を用いた広告システムが開示されている。この広告システムは、利用者のＩＣカードに記録された情報を読み取り、利用者の予定通路の運行の可否を決定するものである。ＩＣカードの記憶手段には、運賃前払い残高データと利用者の個人情報とが記憶されている。自動改札機は、データ読取手段と、ゲート開閉手段と、表示手段とを有し、ホスト装置と通信可能に接続されている。データ読取手段は、ＩＣカードの運賃前払い残高データと利用者の個人情報とを読み取る。ゲート開閉手段は、データ読取手段で読み取られた運賃前払い残高データに基づいて改札ゲートの開閉を行なう。表示手段は、ホスト装置から受信した広告情報を表示する。ホスト装置は、広告情報データベースと、広告情報選択手段と、送受信手段とを有することを特徴としている。広告情報データベースには、予め複数種類の表示用広告情報が登録されている。広告情報選択手段は、ＩＣカードから読み取られた個人情報に基づいて、広告情報データベースの中から特定の広告情報を選択する。送受信手段は、広告情報選択手段で選択された広告情報を自動改札機に送信する。
このように、特許文献２に記載されたシステムは、ユーザがカード（ＩＣカード）を用いて改札機（自動改札機）を通過するとき、広告（広告情報）をユーザに提供するものである。
【０００７】
特開２００３−２１６０８１号公報（特許文献３）には、ユーザが現在いる地域に関係がある情報を配信できるようにする情報・広告配信システムが開示されている。この情報・広告配信システムは、定期券情報、乗車券情報を含む車両利用券情報を予め格納したＩＣカードと、このＩＣカードを自動改札する駅構内に設置した自動改札機と、この自動改札機に接続したユーザ情報管理サーバと、通信回線と、この通信回線を介してユーザ情報管理サーバに接続された配信サーバと、通信回線に接続する移動体通信網に接続されるＩＣカードに対応する携帯端末とを有している。ＩＣカードは、ユーザを識別するためのユーザ識別情報を予め格納している。自動改札機は、ユーザが所持するＩＣカードを自動改札し自動改札したときにＩＣカードに予め格納したユーザ識別情報を読み取り、自動改札機に予め格納したこの自動改札機がどの駅のどの場所に設置されているかを特定するための地域情報をユーザ識別情報とともにユーザ情報管理サーバへ送信する。ユーザ情報管理サーバは、ユーザ識別情報に対応するユーザ情報（配信を希望する情報・広告の種類、情報・広告の配信先の携帯端末のＥメールアドレスを含む。）を予め格納し、自動改札機よりユーザ識別情報と地域情報とを受けこの受けたユーザ識別情報に対応するユーザ情報をユーザ情報管理サーバに予め格納したユーザ情報より選出しこの選出したユーザ情報を自動改札より受けた地域情報とともに配信サーバへ送信する。配信サーバは、駅周辺の地域の情報・広告を予め格納し、ユーザ情報管理サーバよりユーザ情報と地域情報とを受けこの受けたユーザ情報と地域情報とを使用して配信サーバに予め格納した情報・広告からユーザ情報で示す配信先に配信すべき情報・広告を選出しこの選出した情報・広告を携帯端末へ送信する。携帯端末は、配信サーバより情報・広告を受けて表示する。
このように、特許文献３に記載されたシステムは、ユーザが、列車から降車し、カード（ＩＣカード）を用いて改札機（自動改札機）を通過するとき、駅周辺の地域の情報・広告をユーザに提供するものである。
【０００８】
【特許文献１】特開２００３−４４８８４号公報
【特許文献２】特開２００３−４４８８５号公報
【特許文献３】特開２００３−２１６０８１号公報
【発明の開示】
【発明が解決しようとする課題】
【０００９】
本発明の課題は、ユーザが乗物に乗るときに、目的地に応じた情報をユーザに提供することができる情報提供システムを提供することにある。
【課題を解決するための手段】
【００１０】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１１】
本発明の第１の観点による情報提供システムは、携帯端末（５）と、カード（６）と、改札制御装置（４−１）と、サーバ（１）とを具備している。
前記携帯端末（５）は、ユーザに携帯され、表示装置（５０）を備えている。
前記カード（６）は、前記ユーザに携帯され、前記ユーザが乗物（１００）に乗車する乗車地を表す乗車地情報と、前記ユーザが前記乗物（１００）から降車する降車地を表す降車地情報とを含む乗車券情報を格納する。
前記改札制御装置（４−１）は、改札機（３−１）に設けられ、改札読取部（４５）と、改札送信部（４６）とを備えている。前記改札読取部（４５）は、前記ユーザが前記乗物（１００）に乗車するために前記改札機（３−１）を通過するときに、前記カード（６）に格納された前記乗車券情報を読み取って、前記乗車地情報と前記降車地情報とを含む読取乗車券情報を送信する（Ｓ１、Ｓ２−ＹＥＳ、Ｓ３）（Ｓ３１、Ｓ２−ＹＥＳ、Ｓ３）。改札送信部（４６）は、前記降車地に関連する情報を表す降車地イベント情報が前記表示装置（５０）に表示されるように、前記降車地イベント情報を前記携帯端末（５）に送信する（Ｓ１５、Ｓ１６）。
前記サーバ（１）は、前記改札制御装置（４−１）にネットワーク（２）を介して接続された制御装置（１１）と、記憶装置（１２）とを具備している。
前記記憶装置（１２）は、前記降車地情報と、前記降車地イベント情報とが格納された検索イベントデータベース（３３−４）を具備している。
前記制御装置（１１）は、コンピュータプログラム（１４）である受信部（１５）と読出部（１７）と送信部（１６）とを具備している。
前記受信部（１５）は、前記改札読取部（４５）からの前記読取乗車券情報を受信する（Ｓ４）。
前記読出部（１７）は、前記検索イベントデータベース（３３−４）を参照して、前記読取乗車券情報に含まれる前記降車地情報に対応する前記降車地イベント情報を読み出す（Ｓ５〜Ｓ１３）。
前記送信部（１６）は、前記読出部（１７）により読み出された前記降車地イベント情報を前記改札制御装置（４−１）に送信する（Ｓ１４）。
【００１２】
本発明の第１の観点による情報提供システムによれば、上述のように、検索イベントデータベース（３３−４）には、降車地情報と降車地イベント情報とが予め格納されている。これにより、ユーザが、乗物（１００）に乗車するために、現在地（乗車地）からカード（６）を用いて改札機（３−１）を通過するとき、サーバ（１）は、目的地（降車地）に応じた情報として降車地イベント情報を検索イベントデータベース（３３−４）から読み出して、改札制御装置（４−１）を介して、携帯端末（５）の表示装置（５０）に表示させることができる。
ユーザは、乗物（１００）に乗る際に目的地（降車地）を決めている場合がある。また、ユーザは、目的地に移動することを決めていても、目的地での予定（行動）を決めていない場合もある。このような場合でも、現在地（乗車地）からカード（６）を用いて改札機（３−１）を通過するときに、携帯端末（５）の表示装置（５０）に降車地イベント情報が表示される。このため、ユーザは、乗車地から改札機（３−１）を通過した後や乗物（１００）に乗っている間に、表示装置（５０）に表示された降車地イベント情報を閲覧して、目的地での予定を決定することができる。ユーザは、目的地に移動したときに、目的地で時間を無駄にすることはない。
このように、本発明の第１の観点による情報提供システムによれば、ユーザが乗物（１００）に乗るときに、目的地に応じた情報（降車地イベント情報）をユーザに提供することができる。
【００１３】
本発明の第２の観点による情報提供システムは、携帯端末（５）と、改札制御装置（４−１）と、サーバ（１）とを具備している。
前記携帯端末（５）は、ユーザに携帯され、表示装置（５０）と情報記憶部（６１）とを備えている。前記情報記憶部（６１）は、前記ユーザが乗物（１００）に乗車する乗車地を表す乗車地情報と、前記ユーザが前記乗物（１００）から降車する降車地を表す降車地情報とを含む乗車券情報を格納している。
前記改札制御装置（４−１）は、改札機（３−１）に設けられ、改札読取部（４５）と、改札送信部（４６）とを備えている。前記改札読取部（４５）は、前記ユーザが前記乗物（１００）に乗車するために前記改札機（３−１）を通過するときに、前記情報記憶部（６１）に格納された前記乗車券情報を読み取って、前記乗車地情報と前記降車地情報とを含む読取乗車券情報を送信する（Ｓ１、Ｓ２−ＹＥＳ、Ｓ３）（Ｓ３１、Ｓ２−ＹＥＳ、Ｓ３）。改札送信部（４６）は、前記降車地に関連する情報を表す降車地イベント情報が前記表示装置（５０）に表示されるように、前記降車地イベント情報を前記携帯端末（５）に送信する（Ｓ１５、Ｓ１６）。
前記サーバ（１）は、前記改札制御装置（４−１）にネットワーク（２）を介して接続された制御装置（１１）と、記憶装置（１２）とを具備している。
前記記憶装置（１２）は、前記降車地情報と、前記降車地イベント情報とが格納された検索イベントデータベース（３３−４）を具備している。
前記制御装置（１１）は、コンピュータプログラム（１４）である受信部（１５）と読出部（１７）と送信部（１６）とを具備している。
前記受信部（１５）は、前記改札読取部（４５）からの前記読取乗車券情報を受信する（Ｓ４）。
前記読出部（１７）は、前記検索イベントデータベース（３３−４）を参照して、前記読取乗車券情報に含まれる前記降車地情報に対応する前記降車地イベント情報を読み出す（Ｓ５〜Ｓ１３）。
前記送信部（１６）は、前記読出部（１７）により読み出された前記降車地イベント情報を前記改札制御装置（４−１）に送信する（Ｓ１４）。
【００１４】
本発明の第２の観点による情報提供システムによれば、本発明の第１の観点による情報提供システムに対して、情報記憶部（６１）を具備するカード（６）が携帯端末（５）に設けられる。または、カード（６）の機能として情報記憶部（６１）が内蔵されている。これにより、本発明の第２の観点による情報提供システムによれば、本発明の第１の観点による情報提供システムに対して、ユーザは、改札機（３−１）を通過するときに携帯端末（５）のみを携帯すればよい。
【００１５】
本発明の第１又は第２の観点による情報提供システムにおいて、前記検索イベントデータベース（３３−４）には、各々異なる地域を表す複数の地域情報と、各々異なる地域に関連する情報を表す複数のイベント情報とが格納されている。
前記読出部（１７）は、地域情報検索部（２７）と、イベント情報検索部（２８）とを含んでいる。
前記地域情報検索部（２７）は、前記受信部（１５）が前記読取乗車券情報を受信したとき、前記検索イベントデータベース（３３−４）を参照して、前記複数の地域情報の中から、前記読取乗車券情報に含まれる前記降車地情報に一致する地域情報を検索する（Ｓ１２）。
前記イベント情報検索部（２８）は、前記検索イベントデータベース（３３−４）を参照して、前記複数のイベント情報の中から、前記検索された地域情報に対応するイベント情報を前記降車地イベント情報として読み出す（Ｓ１３）。
【００１６】
本発明の第１又は第２の観点による情報提供システムによれば、上述のように、検索イベントデータベース（３３−４）には、複数の地域情報と複数のイベント情報とが予め格納されている。これにより、ユーザが、乗物（１００）に乗車するために、現在地（乗車地）からカード（６）又は携帯端末（５）を用いて改札機（３−１）を通過するとき、サーバ（１）は、複数の地域の中から、目的地（降車地）に応じた情報として降車地イベント情報を検索イベントデータベース（３３−４）から読み出して、改札制御装置（４−１）を介して、携帯端末（５）の表示装置（５０）に表示させることができる。
このように、本発明の第１又は第２の観点による情報提供システムによれば、ユーザが乗物（１００）に乗るときに、複数の地域の中から、目的地に応じた情報（降車地イベント情報）をユーザに提供することができる。ユーザは、複数の地域のうちの１つを目的地（降車地）として、鉄道会社、又は、鉄道会社と提携する業者に乗車券（乗車券情報）を発行してもらえば、どの地域を目的地にしても、本発明の第１又は第２の観点による情報提供システムでは、その目的地に応じた情報をユーザに提供することができる。
【００１７】
本発明の第１又は第２の観点による情報提供システムにおいて、前記読取乗車券情報は、更に、前記改札読取部（４５）が前記乗車券情報を読み取ったときの時刻として乗車時刻を含んでいる。
前記記憶装置（１２）は、更に、所要時間データベース（３２）と、複数のイベントデータベース（３３−１〜３３−ｎ）（ｎは１以上の整数）とを具備している。
前記所要時間データベース（３２）には、前記乗車地情報と、前記降車地情報と、前記乗物（１００）が前記乗車地から前記降車地まで所要する検索所要時間とが格納されている。
前記複数のイベントデータベース（３３−１〜３３−ｎ）の各々には、前記複数の地域情報と前記複数のイベント情報とが格納されている。また、前記複数のイベントデータベース（３３−１〜３３−ｎ）には、それぞれ複数の時刻が更に格納されている。
前記読出部（１７）は、更に、到着時刻決定部（２５）と、イベントデータベース検索部（２６）とを含んでいる。
前記到着時刻決定部（２５）は、前記受信部（１５）が前記読取乗車券情報を受信したとき、前記所要時間データベース（３２）を参照して、前記読取乗車券情報に含まれる前記乗車時刻と、前記検索所要時間とに基づいて、前記乗物（１００）が前記降車地に到着する到着時刻を決定する（Ｓ１０）。
前記イベントデータベース検索部（２６）は、前記複数のイベントデータベース（３３−１〜３３−ｎ）の中から、前記到着時刻に対応する時刻が格納されたイベントデータベースを前記検索イベントデータベース（３３−４）として検索する（Ｓ１１）。
【００１８】
本発明の第１又は第２の観点による情報提供システムによれば、上述のように、所要時間データベース（３２）には、乗車地情報と降車地情報と検索所要時間とが予め格納されている。また、複数のイベントデータベース（３３−１〜３３−ｎ）の各々には、複数の地域情報と複数のイベント情報とが格納されている。また、複数のイベントデータベース（３３−１〜３３−ｎ）には、それぞれ複数の時刻が更に格納されている。これにより、ユーザが、乗物（１００）に乗車するために、現在地（乗車地）からカード（６）又は携帯端末（５）を用いて改札機（３−１）を通過するとき、サーバ（１）は、所要時間データベース（３２）を参照して、乗車時刻と検索所要時間とに基づいて、到着時刻を決定し、複数のイベントデータベース（３３−１〜３３−ｎ）の中から、到着時刻に対応する検索イベントデータベース（３３−４）を検索することができる。その結果、サーバ（１）は、複数の地域の中から、目的地（降車地）に応じた情報として降車地イベント情報を検索イベントデータベース（３３−４）から読み出して、改札制御装置（４−１）を介して、携帯端末（５）の表示装置（５０）に表示させることができる。
このように、本発明の第１又は第２の観点による情報提供システムによれば、ユーザが乗物（１００）に乗るときに、複数の地域の中から、到着時刻と目的地とに応じた情報（降車地イベント情報）をユーザに提供することができる。このため、ユーザは、目的地に移動したときに、目的地で到着時刻以降の時間帯を無駄にすることはない。
【００１９】
本発明の第１又は第２の観点による情報提供システムにおいて、前記所要時間データベース（３２）には、各々異なる乗車地を表す複数の参照乗車地情報と、各々異なる降車地を表す複数の参照降車地情報と、各々異なる所要時間を表す複数の参照所要時間とが格納されている。
前記読出部（１７）は、更に、乗車券情報検索部（２３）と、所要時間検索部（２４）とを含んでいる。
前記乗車券情報検索部（２３）は、前記受信部（１５）が前記読取乗車券情報を受信したとき、前記所要時間データベース（３２）を参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する参照降車地情報を検索する（Ｓ８）。
前記所要時間検索部（２４）は、前記所要時間データベース（３２）を参照して、前記複数の参照所要時間の中から、前記検索された参照乗車地情報と前記検索された参照降車地情報とに対応する参照所要時間を前記検索所要時間として検索する（Ｓ９）。
【００２０】
本発明の第１又は第２の観点による情報提供システムによれば、上述のように、所要時間データベース（３２）には、複数の参照乗車地情報と複数の参照降車地情報と複数の参照所要時間とが予め格納されている。これにより、ユーザが、乗物（１００）に乗車するために、現在地（乗車地）からカード（６）又は携帯端末（５）を用いて改札機（３−１）を通過するとき、サーバ（１）は、所要時間データベース（３２）を参照して、乗車時刻と検索所要時間とに基づいて、乗車地情報と降車地情報とに対応する到着時刻を決定し、複数のイベントデータベース（３３−１〜３３−ｎ）の中から、到着時刻に対応する検索イベントデータベース（３３−４）を検索することができる。
【００２１】
本発明の第１又は第２の観点による情報提供システムにおいて、前記乗車券情報は定期券として使われる。
前記読取乗車券情報は、更に、前記改札制御装置（４−１）を識別する検索アドレスを含んでいる。
前記読取乗車券情報は、前記乗車地情報と前記降車地情報との一方を表す第１乗車地情報と、前記乗車地情報と前記降車地情報との他方を表す第２乗車地情報とを含んでいる。
前記記憶装置（１２）は、各々異なる複数のアドレスと、各々異なる乗車地を表す複数の設定乗車地情報とが格納された改札機データベース（３１）を具備している。
前記読出部（１７）は、更に、設定乗車地情報検索部（２１）と、乗車地降車地決定部（２２）とを含んでいる。
前記設定乗車地情報検索部（２１）は、前記受信部（１５）が前記読取乗車券情報を受信したとき、前記改札機データベース（３１）を参照して、前記複数の設定乗車地情報の中から、前記検索アドレスに対応する設定乗車地情報を検索する（Ｓ１７）。
前記乗車地降車地決定部（２２）は、前記改札機データベース（３１）を参照して、前記読取乗車券情報に含まれる前記第１乗車地情報が前記検索された設定乗車地情報と一致する場合、前記読取乗車券情報に含まれる前記第１乗車地情報、前記第２乗車地情報をそれぞれ前記乗車地情報、前記降車地情報として決定し（Ｓ１８−ＹＥＳ、Ｓ１９）、前記読取乗車券情報に含まれる前記第２乗車地情報が前記検索された設定乗車地情報と一致する場合、前記読取乗車券情報に含まれる前記第２乗車地情報、前記第１乗車地情報をそれぞれ前記乗車地情報、前記降車地情報として決定する（Ｓ１８−ＮＯ、Ｓ２０）。
【００２２】
本発明の第１又は第２の観点による情報提供システムによれば、上述のように、改札機データベース（３１）には、複数のアドレスと複数の設定乗車地情報とが格納されている。乗車券情報が定期券として使われる場合、カード（６）又は情報記憶部（６１）には、第１乗車地情報と第２乗車地情報とが格納されていて、乗車地情報と降車地情報との区別がない。このような場合、ユーザが、乗物（１００）に乗車するために、現在地（乗車地）からカード（６）又は携帯端末（５）を用いて改札機（３−１）を通過するとき、サーバ（１）は、改札機データベース（３１）を参照して、改札機（３−１）｛改札制御装置（４−１）｝の検索アドレス（４−１’）に対応する設定乗車地情報を検索し、その設定乗車地情報と一致する第１乗車地情報と第２乗車地情報との一方を乗車地情報とすればよい。
このように、本発明の第１又は第２の観点による情報提供システムによれば、乗車券情報が定期券として使われる場合でも、上述の効果を実現することができる。
【００２３】
本発明の第３の観点による情報提供システムは、携帯端末（５）と、カード（６）と、サーバ（８−１）とを具備している。
前記携帯端末（５）は、ユーザに携帯され、表示装置（５０）を備えている。
前記カード（６）は、前記ユーザに携帯され、前記ユーザが乗物（１００）に乗車する乗車地を表す乗車地情報と、前記ユーザが前記乗物（１００）から降車する降車地を表す降車地情報とを含む乗車券情報を格納する。
前記サーバ（８−１）は、前記改札機（３−１）に設けられ、制御装置（１１）と、記憶装置（１２）とを具備している。
前記記憶装置（１２）は、前記降車地情報と、前記降車地に関連する情報を表す降車地イベント情報とが格納された検索イベントデータベース（３３−４）を具備している。
前記制御装置（１１）は、コンピュータプログラム（１４）である改札読取部（４５）と読出部（１７）と改札送信部（４６）とを具備している。
前記改札読取部（４５）は、前記ユーザが前記乗物（１００）に乗車するために前記改札機（３−１）を通過するときに、前記カード（６）に格納された前記乗車券情報を読み取って、前記乗車地情報と前記降車地情報とを含む読取乗車券情報を生成する（Ｓ４１、Ｓ４２−ＹＥＳ、Ｓ４３）（Ｓ７１、Ｓ４２−ＹＥＳ、Ｓ４３）。
前記読出部（１７）は、前記検索イベントデータベース（３３−４）を参照して、前記読取乗車券情報に含まれる前記降車地情報に対応する前記降車地イベント情報を読み出す（Ｓ４５〜Ｓ５３）。
前記改札送信部（４６）は、前記読出部（１７）により読み出された前記降車地イベント情報が前記表示装置（５０）に表示されるように、前記降車地イベント情報を前記携帯端末（５）に送信する（Ｓ５５、Ｓ５６）。
【００２４】
本発明の第３の観点による情報提供システムによれば、上述のように、検索イベントデータベース（３３−４）には、降車地情報と降車地イベント情報とが予め格納されている。これにより、ユーザが、乗物（１００）に乗車するために、現在地（乗車地）からカード（６）を用いて改札機（３−１）を通過するとき、サーバ（８−１）は、目的地（降車地）に応じた情報として降車地イベント情報を検索イベントデータベース（３３−４）から読み出して、携帯端末（５）の表示装置（５０）に表示させることができる。
ユーザは、乗物（１００）に乗る際に目的地（降車地）を決めている場合がある。また、ユーザは、目的地に移動することを決めていても、目的地での予定（行動）を決めていない場合もある。このような場合でも、現在地（乗車地）からカード（６）を用いて改札機（３−１）を通過するときに、携帯端末（５）の表示装置（５０）に降車地イベント情報が表示される。このため、ユーザは、乗車地から改札機（３−１）を通過した後や乗物（１００）に乗っている間に、表示装置（５０）に表示された降車地イベント情報を閲覧して、目的地での予定を決定することができる。ユーザは、目的地に移動したときに、目的地で時間を無駄にすることはない。
このように、本発明の第２の観点による情報提供システムによれば、ユーザが乗物（１００）に乗るときに、目的地に応じた情報（降車地イベント情報）をユーザに提供することができる。
【００２５】
本発明の第４の観点による情報提供システムは、携帯端末（５）と、サーバ（８−１）とを具備している。
前記携帯端末（５）は、ユーザに携帯され、表示装置（５０）と情報記憶部（６１）とを備えている。前記情報記憶部（６１）は、前記ユーザが乗物（１００）に乗車する乗車地を表す乗車地情報と、前記ユーザが前記乗物（１００）から降車する降車地を表す降車地情報とを含む乗車券情報を格納している。
前記サーバ（８−１）は、前記改札機（３−１）に設けられ、制御装置（１１）と、記憶装置（１２）とを具備している。
前記記憶装置（１２）は、前記降車地情報と、前記降車地に関連する情報を表す降車地イベント情報とが格納された検索イベントデータベース（３３−４）を具備している。
前記制御装置（１１）は、コンピュータプログラム（１４）である改札読取部（４５）と読出部（１７）と改札送信部（４６）とを具備している。
前記改札読取部（４５）は、前記ユーザが前記乗物（１００）に乗車するために前記改札機（３−１）を通過するときに、前記情報記憶部（６１）に格納された前記乗車券情報を読み取って、前記乗車地情報と前記降車地情報とを含む読取乗車券情報を生成する（Ｓ４１、Ｓ４２−ＹＥＳ、Ｓ４３）（Ｓ７１、Ｓ４２−ＹＥＳ、Ｓ４３）。
前記読出部（１７）は、前記検索イベントデータベース（３３−４）を参照して、前記読取乗車券情報に含まれる前記降車地情報に対応する前記降車地イベント情報を読み出す（Ｓ４５〜Ｓ５３）。
前記改札送信部（４６）は、前記読出部（１７）により読み出された前記降車地イベント情報が前記表示装置（５０）に表示されるように、前記降車地イベント情報を前記携帯端末（５）に送信する（Ｓ５５、Ｓ５６）。
【００２６】
本発明の第４の観点による情報提供システムによれば、本発明の第３の観点による情報提供システムに対して、情報記憶部（６１）を具備するカード（６）が携帯端末（５）に設けられる。または、カード（６）の機能として情報記憶部（６１）が内蔵されている。これにより、本発明の第４の観点による情報提供システムによれば、本発明の第３の観点による情報提供システムに対して、ユーザは、改札機（３−１）を通過するときに携帯端末（５）のみを携帯すればよい。
【００２７】
本発明の第３又は第４の観点による情報提供システムにおいて、前記検索イベントデータベース（３３−４）には、各々異なる地域を表す複数の地域情報と、各々異なる地域に関連する情報を表す複数のイベント情報とが格納されている。
前記読出部（１７）は、地域情報検索部（２７）と、イベント情報検索部（２８）とを含んでいる。
前記地域情報検索部（２７）は、前記改札読取部（４５）が前記読取乗車券情報を読み取ったとき、前記検索イベントデータベース（３３−４）を参照して、前記複数の地域情報の中から、前記読取乗車券情報に含まれる前記降車地情報に一致する地域情報を検索する（Ｓ５２）。
前記イベント情報検索部（２８）は、前記検索イベントデータベース（３３−４）を参照して、前記複数のイベント情報の中から、前記検索された地域情報に対応するイベント情報を前記降車地イベント情報として読み出す（Ｓ５３）とを含む。
【００２８】
本発明の第３又は第４の観点による情報提供システムによれば、上述のように、検索イベントデータベース（３３−４）には、複数の地域情報と複数のイベント情報とが予め格納されている。これにより、ユーザが、乗物（１００）に乗車するために、現在地（乗車地）からカード（６）又は携帯端末（５）を用いて改札機（３−１）を通過するとき、サーバ（８−１）は、複数の地域の中から、目的地（降車地）に応じた情報として降車地イベント情報を検索イベントデータベース（３３−４）から読み出して、携帯端末（５）の表示装置（５０）に表示させることができる。
このように、本発明の第３又は第４の観点による情報提供システムによれば、ユーザが乗物（１００）に乗るときに、複数の地域の中から、目的地に応じた情報（降車地イベント情報）をユーザに提供することができる。ユーザは、複数の地域のうちの１つを目的地（降車地）として、鉄道会社、又は、鉄道会社と提携する業者に乗車券（乗車券情報）を発行してもらえば、どの地域を目的地にしても、本発明の第２の観点による情報提供システムでは、その目的地に応じた情報をユーザに提供することができる。
【００２９】
本発明の第３又は第４の観点による情報提供システムにおいて、前記読取乗車券情報は、更に、前記改札読取部（４５）が前記乗車券情報を読み取ったときの時刻として乗車時刻を含んでいる。
前記記憶装置（１２）は、更に、所要時間データベース（３２）と、複数のイベントデータベース（３３−１〜３３−ｎ）（ｎは１以上の整数）とを具備している。
前記所要時間データベース（３２）には、前記乗車地情報と、前記降車地情報と、前記乗物（１００）が前記乗車地から前記降車地まで所要する検索所要時間とが格納されている。
前記複数のイベントデータベース（３３−１〜３３−ｎ）の各々には、前記複数の地域情報と前記複数のイベント情報とが格納されている。また、前記複数のイベントデータベース（３３−１〜３３−ｎ）には、それぞれ複数の時刻が更に格納されている。
前記読出部（１７）は、更に、到着時刻決定部（２５）と、イベントデータベース検索部（２６）とを含んでいる。
前記到着時刻決定部（２５）は、前記改札読取部（４５）が前記読取乗車券情報を読み取ったとき、前記所要時間データベース（３２）を参照して、前記読取乗車券情報に含まれる前記乗車時刻と、前記検索所要時間とに基づいて、前記乗物（１００）が前記降車地に到着する到着時刻を決定する（Ｓ５０）。
前記イベントデータベース検索部（２６）は、前記複数のイベントデータベース（３３−１〜３３−ｎ）の中から、前記到着時刻に対応する時刻が格納されたイベントデータベースを前記検索イベントデータベース（３３−４）として検索する（Ｓ５１）。
【００３０】
本発明の第３又は第４の観点による情報提供システムによれば、上述のように、所要時間データベース（３２）には、乗車地情報と降車地情報と検索所要時間とが予め格納されている。また、複数のイベントデータベース（３３−１〜３３−ｎ）の各々には、複数の地域情報と複数のイベント情報とが格納されている。また、複数のイベントデータベース（３３−１〜３３−ｎ）には、それぞれ複数の時刻が更に格納されている。これにより、ユーザが、乗物（１００）に乗車するために、現在地（乗車地）からカード（６）又は携帯端末（５）を用いて改札機（３−１）を通過するとき、サーバ（８−１）は、所要時間データベース（３２）を参照して、乗車時刻と検索所要時間とに基づいて、到着時刻を決定し、複数のイベントデータベース（３３−１〜３３−ｎ）の中から、到着時刻に対応する検索イベントデータベース（３３−４）を検索することができる。その結果、サーバ（８−１）は、複数の地域の中から、目的地（降車地）に応じた情報として降車地イベント情報を検索イベントデータベース（３３−４）から読み出して、携帯端末（５）の表示装置（５０）に表示させることができる。
このように、本発明の第３又は第４の観点による情報提供システムによれば、ユーザが乗物（１００）に乗るときに、複数の地域の中から、到着時刻と目的地とに応じた情報（降車地イベント情報）をユーザに提供することができる。このため、ユーザは、目的地に移動したときに、目的地で到着時刻以降の時間帯を無駄にすることはない。
【００３１】
本発明の第３又は第４の観点による情報提供システムにおいて、前記所要時間データベース（３２）には、各々異なる乗車地を表す複数の参照乗車地情報と、各々異なる降車地を表す複数の参照降車地情報と、各々異なる所要時間を表す複数の参照所要時間とが格納されている。
前記読出部（１７）は、更に、乗車券情報検索部（２３）と、所要時間検索部（２４）とを含んでいる。
前記乗車券情報検索部（２３）は、前記改札読取部（４５）が前記読取乗車券情報を読み取ったとき、前記所要時間データベース（３２）を参照して、前記複数の参照乗車地情報の中から、前記読取乗車券情報に含まれる前記乗車地情報に一致する参照乗車地情報を検索し、前記複数の参照降車地情報の中から、前記読取乗車券情報に含まれる前記降車地情報に一致する（Ｓ４８）。
前記所要時間検索部（２４）は、前記所要時間データベース（３２）を参照して、前記複数の参照所要時間の中から、前記検索された参照乗車地情報と前記検索された参照降車地情報とに対応する参照所要時間を前記検索所要時間として検索する（Ｓ４９）。
【００３２】
本発明の第３又は第４の観点による情報提供システムによれば、上述のように、所要時間データベース（３２）には、複数の参照乗車地情報と複数の参照降車地情報と複数の参照所要時間とが予め格納されている。これにより、ユーザが、乗物（１００）に乗車するために、現在地（乗車地）からカード（６）又は携帯端末（５）を用いて改札機（３−１）を通過するとき、サーバ（８−１）は、所要時間データベース（３２）を参照して、乗車時刻と検索所要時間とに基づいて、乗車地情報と降車地情報とに対応する到着時刻を決定し、複数のイベントデータベース（３３−１〜３３−ｎ）の中から、到着時刻に対応する検索イベントデータベース（３３−４）を検索することができる。
【００３３】
本発明の第３又は第４の観点による情報提供システムにおいて、前記乗車券情報は定期券として使われる。
前記読取乗車券情報は、前記乗車地情報と前記降車地情報との一方を表す第１乗車地情報と、前記乗車地情報と前記降車地情報との他方を表す第２乗車地情報とを含んでいる。
前記記憶装置（１２）は、更に、前記乗車地を表す設定乗車地情報が格納された改札機データベース（８１）を具備している。
前記読出部（１７）は、更に、乗車地降車地決定部（２２）を含んでいる。
前記乗車地降車地決定部（２２）は、前記改札読取部（４５）が前記読取乗車券情報を読み取ったとき、前記改札機データベース（８１）を参照して、前記読取乗車券情報に含まれる前記第１乗車地情報が前記設定乗車地情報と一致する場合、前記読取乗車券情報に含まれる前記第１乗車地情報、前記第２乗車地情報をそれぞれ前記乗車地情報、前記降車地情報として決定し（Ｓ５８−ＹＥＳ、Ｓ５９）、前記読取乗車券情報に含まれる前記第２乗車地情報が前記設定乗車地情報と一致する場合、前記読取乗車券情報に含まれる前記第２乗車地情報、前記第１乗車地情報をそれぞれ前記乗車地情報、前記降車地情報として決定する（Ｓ５８−ＮＯ、Ｓ６０）。
【００３４】
本発明の第３又は第４の観点による情報提供システムによれば、上述のように、改札機データベース（８１）には、設定乗車地情報が格納されている。乗車券情報が定期券として使われる場合、カード（６）又は情報記憶部（６１）には、第１乗車地情報と第２乗車地情報とが格納されていて、乗車地情報と降車地情報との区別がない。このような場合、ユーザが、乗物（１００）に乗車するために、現在地（乗車地）からカード（６）又は携帯端末（５）を用いて改札機（３−１）を通過するとき、サーバ（８−１）は、改札機データベース（８１）を参照して、設定乗車地情報と一致する第１乗車地情報と第２乗車地情報との一方を乗車地情報とすればよい。
このように、本発明の第３又は第４の観点による情報提供システムによれば、乗車券情報が定期券として使われる場合でも、上述の効果を実現することができる。
【発明の効果】
【００３５】
本発明の情報提供システムは、ユーザが乗物に乗るときに、目的地に応じた情報をユーザに提供することができる。
【発明を実施するための最良の形態】
【００３６】
以下に添付図面を参照して、本発明の情報提供システムについて詳細に説明する。
【００３７】
図１は、本発明の情報提供システムの概念を示している。ユーザは、現在地から乗物に乗って目的地に移動するものとする。乗物としては、列車、船、飛行機が挙げられるが、例えば列車１００とする。
現在地である乗車地Ｘには、列車１００が停車するための駅１０１−ｘが設けられている。即ち、乗車地Ｘは、駅１０１−ｘ、駅１０１−ｘの周辺を表している。駅１０１−ｘには、改札機３−ｘが設けられている。
目的地である降車地Ｙには、列車１００が停車するための駅１０１−ｙが設けられている。即ち、降車地Ｙは、駅１０１−ｙ、駅１０１−ｙの周辺を表している。駅１０１−ｙには、改札機３−ｙが設けられている。
本発明の情報提供システムでは、ユーザが乗車地Ｘにおける駅１０１−ｘの改札機３−ｘを通過するときに、降車地Ｙに関連する情報を表す降車地イベント情報をユーザに提供するものである。
【００３８】
（第１実施形態）
図２は、本発明の第１実施形態による情報提供システムの構成を示すブロック図である。第１実施形態による情報提供システムは、サーバ１と、改札制御装置４−１〜４−ｍ（ｍは１以上の整数、１≦ｘ≦ｍ、１≦ｙ≦ｍ）と、携帯端末５と、カード６とを具備している。
サーバ１は、改札制御装置４−１〜４−ｍにネットワーク２を介して接続されている。
改札制御装置４−１〜４−ｍは、それぞれ、改札機３−１〜３−ｍに設けられている。改札機３−１〜３−ｍは、それぞれ国内又は地方（例示；関東地方）の駅に設けられている。
携帯端末５とカード６は、ユーザに携帯される。携帯端末５としてはＰＤＡ（Ｐｅｒｓｏｎａｌ  Ｄｉｇｉｔａｌ  Ａｓｓｉｓｔａｎｔ）、携帯電話機が例示される。カード６としては、磁気カード、ＩＣカードが例示される。本実施例では、カード６はＩＣカードであるものとする。
【００３９】
図３は、携帯端末５の構成を示すブロック図である。携帯端末５は、制御装置５１と、記憶装置５２と、表示装置５０と、図示しない入力装置と、図示しないアンテナとを具備している。
制御装置５１は、実行部であるＣＰＵ（Ｃｅｎｔｒａｌ  Ｐｒｏｃｅｓｓｉｎｇ  Ｕｎｉｔ）５３を具備している。
記憶装置５２には、ＣＰＵ５３が実行するためのコンピュータプログラム５４が格納されている。コンピュータプログラム５４は、制御部（制御プログラム）５５を含んでいる。本発明における制御部５５の動作については後述する。
【００４０】
図４は、カード６の構成を示すブロック図である。カード６は、情報記憶部６１を具備している。情報記憶部６１には、乗車券又は定期券を表す乗車券情報が格納される。例えば、乗車券情報は、乗車券又は定期券として使われる場合、鉄道会社により発行される。また、乗車券情報は、乗車券として使われる場合、鉄道会社と提携する業者（例示；旅行会社）により発行されることもある。カード６は、更に、情報制御部６２と、図示しないアンテナとを具備している。情報制御部６２の動作については後述する。
【００４１】
図５は、乗車券として使用される乗車券情報を表している。この乗車券情報は、ユーザが列車１００に乗車する乗車地を表す乗車地情報と、ユーザが列車１００から降車する降車地を表す降車地情報と、カード６の有効期限と、カード６の属性を表す券属性情報とを含んでいる。例えば、乗車地情報は“新宿（駅）”を表し、降車地情報は“田町（駅）”を表し、有効期限は“２００４年１０月２２日”を表し、券属性情報は“乗車券”を表している。また、図示しないが、この乗車券情報は、更に、ユーザの氏名、年齢、性別、住所を表す情報と、通勤又は通学を表す情報とを含んでいる。
【００４２】
図６は、定期券として使用される乗車券情報を表している。この乗車券情報は、乗車地情報と降車地情報との一方を表す第１乗車地情報と、乗車地情報と降車地情報との他方を表す第２乗車地情報と、カード６の有効期限と、カード６の属性を表す券属性情報とを含んでいる。第１乗車地情報が上記の乗車地として使われた場合、第２乗車地情報は上記の降車地として使われる。例えば、第１乗車地情報は“新宿（駅）”を表し、第２乗車地情報は“田町（駅）”を表し、有効期限は“２００４年１０月２２日”を表し、券属性情報は“定期券”を表している。また、図示しないが、この乗車券情報は、更に、ユーザの氏名、年齢、性別、住所を表す情報と、通勤又は通学を表す情報とを含んでいる。
【００４３】
図７は、改札制御装置４−ｉ（ｉ＝１、２、…、ｍ）の構成を示すブロック図である。改札制御装置４−ｉは、ネットワーク２に接続された制御装置４１と、記憶装置４２と、読取機４０とを具備している。
制御装置４１は、実行部であるＣＰＵ４３を具備している。
記憶装置４２には、ＣＰＵ４３が実行するためのコンピュータプログラム４４と、改札制御装置４−ｉを識別する検索アドレス４−ｉ’とが格納されている。コンピュータプログラム４４は、改札読取部（改札読取プログラム）４５、改札送信部（改札送信プログラム）４６を含んでいる。改札読取部４５、改札送信部４６の動作については後述する。
読取機４０には、ＩＣカード仕様であるアンテナ（図示しない）が設けられている。
【００４４】
図８は、サーバ１の構成を示すブロック図である。サーバ１は、ネットワーク２に接続された制御装置１１と、記憶装置１２とを具備している。
制御装置１１は、実行部であるＣＰＵ１３を具備している。
記憶装置１２には、ＣＰＵ１３が実行するためのコンピュータプログラム１４が格納されている。コンピュータプログラム１４は、受信部（受信プログラム）１５、送信部（送信プログラム）１６、読出部（読出プログラム）１７を含んでいる。読出部１７は、乗車地情報検索部２１、乗車地降車地決定部２２、乗車券情報検索部２３、所要時間検索部２４、到着時刻決定部２５、イベントデータベース検索部２６、地域情報検索部２７、イベント情報検索部２８を含んでいる。受信部１５、送信部１６、読出部１７の動作については後述する。
記憶装置１２には、更に、改札機データベース３１、所要時間データベース３２、複数のイベントデータベース３３−１〜３３−ｎ（ｎは１以上の整数）、検索用データベース３４が格納されている。
【００４５】
改札機データベース３１には、図９に示されるように、各々異なる複数のアドレス４−１’〜４−ｍ’と、各々異なる乗車地を表す複数の設定乗車地情報とが予め格納されている。例えば、アドレス４−１’は、改札制御装置４−１の検索アドレス４−１’を表し、アドレス４−１’に対応する設定乗車地情報は、“新宿（駅）”を表している。アドレス４−１０’は、改札制御装置４−１０の検索アドレス４−１０’を表し、アドレス４−１０’に対応する設定乗車地情報は、“田町（駅）”を表している。
【００４６】
所要時間データベース３２には、図１０に示されるように、各々異なる乗車地を表す複数の参照乗車地情報と、各々異なる降車地を表す複数の参照降車地情報と、各々異なる所要時間を表す複数の参照所要時間とが予め格納されている。例えば、複数の参照乗車地情報のうちの１つの参照乗車地情報が“新宿（駅）”を表し、複数の参照降車地情報のうちの１つの参照降車地情報が“田町（駅）”を表している。この場合、複数の参照所要時間のうち、参照乗車地情報“新宿（駅）”と参照降車地情報“田町（駅）”とに対応する参照所要時間は、“２０分”を表している。この参照所要時間“２０分”は、例えば“山手線”を想定している。
【００４７】
イベントデータベース３３−ｊ（ｊ＝１、２、…、ｎ）には、図１１に示されるように、各々異なる地域を表す複数の地域情報と、各々異なる地域に関連する情報を表す複数のイベント情報とが予め格納されている。複数のイベント情報の各々は、対応する地域の天気を表す天気情報と、その地域の交通を表す交通情報と、その地域の広告を表す広告情報と、その地域のテレビ番組を表すテレビ情報と、その地域に列車１００により移動するための経路を表す経路情報とを含んでいる。例えば、複数の地域情報のうちの１つの地域情報が“新宿（新宿駅、新宿駅周辺）”を表し、他の１つの地域情報が“田町（田町駅、田町駅周辺）”を表している。
また、イベントデータベース３３−１〜３３−ｎには、図１１に示されるように、それぞれ複数の時刻が更に格納されている。複数の時刻は時系列で表される。複数の時刻が５分刻みであり、イベントデータベース３３−１に格納された時刻が“１０時”である場合、イベントデータベース３３−４に格納された時刻は、“１０時２０分”である。
【００４８】
イベントデータベース３３−ｊがイベントデータベース３３−４である場合、時刻“１０時２０分”の地域情報“田町（田町駅、田町駅周辺）”に対応するイベント情報において、例えば、天気情報は“現在、田町駅周辺は雨が降っています。”を表している。
そのイベント情報において、例えば、交通情報は“第一京浜の○○〜○○間○ｋｍ渋滞”を表している。
そのイベント情報において、例えば、広告情報は“レストラン「○○○」は田町駅徒歩１分、ただいま席が空いています。所在地は…”を表している。また、広告情報は“レストラン「○○○」は田町駅徒歩１分、まもなく開店します。所在地は…”を表している。
そのイベント情報において、例えば、テレビ情報は“○時からテレビ○○系列にて番組「○○」が始まります。「○○」は、田町を特集し…”を表している。
そのイベント情報において、例えば、経路情報は“○○駅行きは○時○分発です。”を表している。また、経路情報は“田町駅到着は１０時２０分の予定です。”を表している。経路情報は“○○線が故障のため、○○経由のルートの方が早いです。”を表している。
【００４９】
サーバ１を管理する管理者は、業者と提携している。業者は、ユーザにイベント情報を提供したい時間帯と地域情報とを指定し、管理者に手数料を支払う。管理者は、サーバ１を用いて、時間帯と地域情報とが該当するイベントデータベース３３−ｊに、業者により依頼されたイベント情報を更新する。
【００５０】
検索用データベース３４には、図１２に示されるように、検索アドレス４−ｉ、乗車地情報、降車地情報、乗車時刻、到着時刻が読出部１７によって格納される。
【００５１】
図１３Ａ〜図１３Ｃは、本発明の第１実施形態による情報提供システムの動作を示すフローチャートである。ユーザは、現在地（乗車地）である“新宿”から、列車１００に乗って、目的地（降車地）である“田町”に移動するものとする。“新宿駅”の改札機は改札機３−１であり、“田町駅”の改札機は改札機３−１０である。ここで、（Ａ）ユーザが携帯するカード６が“乗車券”として使用される場合、（Ｂ）ユーザが携帯するカード６が“定期券”として使用される場合が挙げられる。
【００５２】
まず、（Ａ）ユーザが携帯するカード６が“乗車券”として使用される場合における、第１実施形態による情報提供システムの動作について説明する。
【００５３】
ユーザは、“新宿駅”の改札機３−１に向かう。上述のように、その改札機３−１には改札制御装置４−１が設けられている。改札制御装置４−１の改札読取部４５は、電波によって読出信号を送信し、ユーザが列車１００に乗車するために“新宿駅”の改札機３−１を通過するときに、カード６の情報記憶部６１に格納された乗車券情報を読み取る（ステップＳ１）。このステップＳ１において、まず、ユーザは、改札機３−１を通過するために、改札制御装置４−１の読取機４０のアンテナにカード６を近付ける。このとき、読出信号を受信可能な範囲にカード６が存在する。カード６の情報制御部６２は、読出信号（電波）に応じて、その情報記憶部６１から乗車券情報を読み出して、電波によって返答信号（乗車券情報）を送信する。改札制御装置４−１の改札読取部４５は、カード６からの返答信号（乗車券情報）を受信する。
【００５４】
改札制御装置４−１の改札読取部４５は、カード６からの乗車券情報に含まれる乗車地情報、降車地情報が正当な乗車区間であるか否かについて調べ、その乗車券情報に含まれる有効期限が過ぎているか否かについて調べる（ステップＳ２）。このステップＳ２についての動作は公知である。
改札制御装置４−１の改札読取部４５は、カード６からの乗車券情報に含まれる乗車地情報“新宿”、降車地情報“田町”が正当な乗車区間ではない場合、その乗車券情報に含まれる有効期限が過ぎている場合、ユーザによる改札機３−１の通過を禁止する。この場合、改札制御装置４−１の改札読取部４５は、改札機３−１に設けられた扉が閉じるように、改札機３−１を制御する（ステップＳ２−ＮＯ）。
改札制御装置４−１の改札読取部４５は、カード６からの乗車券情報に含まれる乗車地情報、降車地情報が正当な乗車区間である場合、且つ、その乗車券情報に含まれる有効期限が過ぎていない場合、ユーザによる改札機３−１の通過を許可する。この場合、改札制御装置４−１の改札読取部４５は、改札機３−１に設けられた扉が開くように、改札機３−１を制御する（ステップＳ２−ＹＥＳ）。
【００５５】
改札制御装置４−１の改札読取部４５は、ユーザによる改札機３−１の通過を許可した場合、その記憶装置４２から検索アドレス４−１’を読み出して、乗車券情報と、乗車券情報を読み取った（受信した）ときの時刻として乗車時刻と、検索アドレス４−１’とを含む読取乗車券情報を生成してサーバ１に送信する（ステップＳ３）。上記のステップＳ１にて改札読取部４５は、乗車時刻として“１０時”に乗車券情報を読み取った（受信した）ものとする。
サーバ１の受信部１５は、改札制御装置４−１からの読取乗車券情報を受信する（ステップＳ４）。
【００５６】
サーバ１の読出部１７は、サーバ１の記憶装置１２を参照して、読取乗車券情報に含まれる乗車券情報の降車地情報“田町”に対応する降車地イベント情報を読み出す読出処理を実行する。読出部１７は、（Ａ）の場合の読出処理として、後述のステップＳ５、Ｓ６−ＮＯ、Ｓ７〜Ｓ１３を実行する。
【００５７】
読出部１７の乗車地情報検索部２１は、読取乗車券情報に含まれる検索アドレス４−１’と乗車時刻“１０時”とを検索用データベース３４に格納する（ステップＳ５）。
乗車地情報検索部２１は、読取乗車券情報に含まれる乗車券情報の券属性情報が“乗車券”であるか“定期券”であるかを調べる（ステップＳ６）。その券属性情報が“乗車券”であるため（ステップＳ６−ＮＯ）、読出部１７の乗車地降車地決定部２２は、読取乗車券情報に含まれる乗車券情報の乗車地情報“新宿（駅）”、降車地情報“田町（駅）”を検索用データベース３４に格納する（ステップＳ７）。
【００５８】
読出部１７の乗車券情報検索部２３は、所要時間データベース３２と検索用データベース３４とを参照して、複数の参照乗車地情報の中から、乗車地情報“新宿（駅）”に一致する参照乗車地情報“新宿（駅）”を検索し、複数の参照降車地情報の中から、降車地情報“田町（駅）”に一致する参照降車地情報“田町（駅）”を検索する（ステップＳ８）。
読出部１７の所要時間検索部２４は、所要時間データベース３２を参照して、複数の参照所要時間の中から、ステップＳ８にて検索された参照乗車地情報“新宿（駅）”と参照降車地情報“田町（駅）”とに対応する参照所要時間“２０分”を検索所要時間として検索する（ステップＳ９）。
【００５９】
読出部１７の到着時刻決定部２５は、所要時間データベース３２と検索用データベース３４とを参照して、乗車時刻と、検索所要時間とに基づいて、列車１００が降車地“田町”に到着する到着時刻を決定する（ステップＳ１０）。即ち、ステップＳ１０にて、到着時刻決定部２５は、検索アドレス４−１’と乗車地情報“新宿（駅）”と降車地情報“田町（駅）”とに対応する乗車時刻“１０時”に、参照乗車地情報“新宿（駅）”と参照降車地情報“田町（駅）”とに対応する検索所要時間“２０分”を足して、到着時刻“１０時２０分”を決定する。その後、到着時刻決定部２５は、検索アドレス４−１’と乗車地情報“新宿（駅）”と降車地情報“田町（駅）”と乗車時刻“１０時”とに対応付けて、到着時刻“１０時２０分”を検索用データベース３４に格納する。
【００６０】
読出部１７のイベントデータベース検索部２６は、検索用データベース３４を参照して、複数のイベントデータベース３３−１〜３３−ｎの中から、到着時刻“１０時２０分”に対応する時刻が格納されたイベントデータベース３３−４を検索イベントデータベースとして検索する（ステップＳ１１）。ここで、到着時刻“１０時２０分”に対応する時刻とは、時刻が５分刻みであり、イベントデータベース３３−１に格納された時刻が“１０時”である場合、“１０時１６分”〜“１０時２０分”の間の時間帯を表している。
読出部１７の地域情報検索部２７は、検索イベントデータベース３３−４と検索用データベース３４とを参照して、複数の地域情報の中から、降車地情報“田町（駅）”に一致する地域情報“田町（田町駅、田町駅周辺）”を検索する（ステップＳ１２）。
読出部１７のイベント情報検索部２８は、検索イベントデータベース３３−４を参照して、複数のイベント情報の中から、ステップＳ１２にて検索された地域情報“田町（田町駅、田町駅周辺）”に対応するイベント情報（天気情報、交通情報、広告情報、テレビ情報、経路情報）を降車地イベント情報として読み出す（ステップＳ１３）。
【００６１】
サーバ１の送信部１６は、検索用データベース３４に格納された検索アドレス４−１’に基づいて、読出部１７により読み出された降車地イベント情報（天気情報、交通情報、広告情報、テレビ情報、経路情報）を改札制御装置４−１の改札送信部４６に送信する。このとき、サーバ１の送信部１６は、降車地イベント情報を改札送信部４６に送信すると共に、その降車地イベント情報を携帯端末５の表示装置５０に表示させる制御信号である降車地イベント情報表示指示を改札送信部４６に送信する（ステップＳ１４）。サーバ１の送信部１６は、降車地イベント情報と降車地イベント情報表示指示とを改札送信部４６に送信した後、検索用データベース３４に格納された検索アドレス４−１’と乗車地情報“新宿（駅）”と降車地情報“田町（駅）”と乗車時刻“１０時”と到着時刻“１０時２０分”とを消去する。
【００６２】
改札制御装置４−１の改札送信部４６は、サーバ１からの降車地イベント情報が携帯端末５の表示装置５０に表示されるように、降車地イベント情報と降車地イベント情報表示指示とを携帯端末５に送信する（ステップＳ１５）。
【００６３】
携帯端末５の制御部５５は、降車地イベント情報表示指示に従って、改札制御装置４−１からの降車地イベント情報を表示装置５０に表示する（ステップＳ１６）。制御部５５は、ユーザによる携帯端末５の操作として保存指示に応じて、表示装置５０に表示された降車地イベント情報を記憶装置５２に格納し、ユーザによる携帯端末５の操作として表示指示に応じて、記憶装置５２に格納された降車地イベント情報を表示装置５０に表示することができる。
【００６４】
本発明の第１実施形態による情報提供システムによれば、上述のように、検索イベントデータベース３３−４には、複数の地域情報と複数のイベント情報とが予め格納されている。これにより、ユーザが、列車１００に乗車するために、現在地（乗車地）“新宿（駅）”からカード６を用いて改札機３−１を通過するとき、サーバ１は、複数の地域の中から、目的地（降車地）“田町（駅）”に応じた情報として降車地イベント情報を検索イベントデータベース３３−４から読み出して、改札制御装置４−１を介して、携帯端末５の表示装置５０に表示させることができる。
ユーザは、列車１００に乗る際に目的地（降車地）“田町（駅）”を決めている場合がある。また、ユーザは、目的地“田町（駅）”に移動することを決めていても、目的地“田町（駅）”での予定（行動）を決めていない場合もある。このような場合でも、現在地（乗車地）“新宿（駅）”からカード６を用いて改札機３−１を通過するときに、携帯端末５の表示装置５０に降車地イベント情報が表示される。このため、ユーザは、乗車地“新宿（駅）”から改札機３−１を通過した後や列車１００に乗っている間に、表示装置５０に表示された降車地イベント情報を閲覧して、目的地“田町（駅）”での予定を決定することができる。ユーザは、目的地“田町（駅）”に移動したときに、目的地“田町（駅）”で時間を無駄にすることはない。
また、ユーザは、複数の地域のうちの１つを目的地（降車地）として、鉄道会社、又は、鉄道会社と提携する業者にカード６を発行してもらえば、どの地域を目的地にしても、本発明の第１実施形態による情報提供システムでは、その目的地に応じた情報をユーザに提供することができる。
このように、本発明の第１実施形態による情報提供システムによれば、ユーザが列車１００に乗るときに、複数の地域の中から、目的地に応じた情報（降車地イベント情報）をユーザに提供することができる。
【００６５】
本発明の第１実施形態による情報提供システムによれば、上述のように、所要時間データベース３２には、複数の参照乗車地情報と複数の参照降車地情報と複数の参照所要時間とが予め格納されている。また、複数のイベントデータベース３３−１〜３３−ｎの各々には、複数の地域情報と複数のイベント情報とが格納されている。また、複数のイベントデータベース３３−１〜３３−ｎには、それぞれ複数の時刻が更に格納されている。これにより、ユーザが、列車１００に乗車するために、現在地（乗車地）“新宿（駅）”からカード６を用いて改札機３−１を通過するとき、サーバ１は、所要時間データベース３２を参照して、乗車地情報“新宿（駅）”と降車地情報“田町（駅）”とに対応する到着時刻“１０時２０分”を乗車時刻“１０時”と検索所要時間“２０分”とに基づいて決定し、複数のイベントデータベース３３−１〜３３−ｎの中から、到着時刻“１０時２０分”に対応する検索イベントデータベース３３−４を検索することができる。その結果、サーバ１は、複数の地域の中から、目的地（降車地）“田町（駅）”に応じた情報として降車地イベント情報を検索イベントデータベース３３−４から読み出して、改札制御装置４−１を介して、携帯端末５の表示装置５０に表示させることができる。
このように、本発明の第１実施形態による情報提供システムによれば、ユーザが列車１００に乗るときに、複数の地域の中から、到着時刻“１０時２０分”と目的地“田町（駅）”とに応じた情報（降車地イベント情報）をユーザに提供することができる。このため、ユーザは、目的地“田町（駅）”に移動したときに、目的地“田町（駅）”で到着時刻“１０時２０分”以降の時間帯を無駄にすることはない。
【００６６】
次に、（Ｂ）ユーザが携帯するカード６が“定期券”として使用される場合における、第１実施形態による情報提供システムの動作について説明する。ここで、（Ａ）の場合の動作と重複する説明については省略する。
【００６７】
まず、改札制御装置４−１は、上述のステップＳ１〜Ｓ３を実行し、サーバ１は、上述のステップＳ４を実行し、読出処理を実行する。読出部１７は、（Ｂ）の場合の読出処理として、後述のステップＳ５、Ｓ６−ＹＥＳ、Ｓ１７〜Ｓ２０、Ｓ８〜Ｓ１３を実行する。
【００６８】
読出部１７の乗車地情報検索部２１は、読取乗車券情報に含まれる検索アドレス４−１’と乗車時刻“１０時”とを検索用データベース３４に格納する（ステップＳ５）。
乗車地情報検索部２１は、読取乗車券情報に含まれる乗車券情報の券属性情報が“乗車券”であるか“定期券”であるかを調べる（ステップＳ６）。その券属性情報が“定期券”であるため（ステップＳ６−ＹＥＳ）、乗車地情報検索部２１は、改札機データベース３１を参照して、複数の設定乗車地情報の中から、読取乗車券情報に含まれる検索アドレス４−１’に対応する設定乗車地情報“新宿（駅）”を検索する（ステップＳ１７）。
読取乗車券情報に含まれる乗車券情報の第１乗車地情報“新宿（駅）”が、ステップＳ１７にて検索された設定乗車地情報“新宿（駅）”と一致する（ステップＳ１８−ＹＥＳ）。この場合、読出部１７の乗車地降車地決定部２２は、読取乗車券情報に含まれる乗車券情報の第１乗車地情報“新宿（駅）”、第２乗車地情報“田町（駅）”をそれぞれ乗車地情報、降車地情報として決定し、検索用データベース３４に格納する（ステップＳ１９）。
例えば、読取乗車券情報に含まれる乗車券情報の第１乗車地情報が、ステップＳ１７にて検索された設定乗車地情報と一致しない場合もある。即ち、読取乗車券情報に含まれる乗車券情報の第２乗車地情報が、ステップＳ１７にて検索された設定乗車地情報と一致する場合である（ステップＳ１８−ＮＯ）。この場合では、乗車地降車地決定部２２は、読取乗車券情報に含まれる乗車券情報の第２乗車地情報、第１乗車地情報をそれぞれ乗車地情報、降車地情報として決定し、検索用データベース３４に格納する（ステップＳ２０）。
【００６９】
次に、サーバ１は、（Ｂ）の場合の読出処理において、上述のステップＳ８〜Ｓ１３を実行する。その後、サーバ１は、上述のステップＳ１４を実行し、改札制御装置４−１は、上述のステップＳ１５を実行し、携帯端末５は、上述のステップＳ１６を実行する。
【００７０】
本発明の第１実施形態による情報提供システムによれば、上述のように、改札機データベース３１には、複数のアドレスと複数の設定乗車地情報とが格納されている。カード６（乗車券情報）が定期券として使われる場合、カード６の情報記憶部６１には、第１乗車地情報と第２乗車地情報とが格納されていて、乗車地情報と降車地情報との区別がない。このような場合、ユーザが、列車１００に乗車するために、現在地（乗車地）“新宿（駅）”からカード６を用いて改札機３−１を通過するとき、サーバ１は、改札機データベース３１を参照して、改札機３−１｛改札制御装置４−１｝の検索アドレス４−１’に対応する設定乗車地情報“新宿（駅）”を検索し、その設定乗車地情報“新宿（駅）”と一致する第１乗車地情報と第２乗車地情報との一方を乗車地情報“新宿（駅）”とすればよい。
このように、本発明の第１実施形態による情報提供システムによれば、カード６（乗車券情報）が定期券として使われる場合でも、上述の効果を実現することができる。
【００７１】
（第２実施形態）
本発明の第２実施形態による情報提供システムでは、第１実施形態と重複する説明については省略する。第２実施形態による情報提供システムでは、図１４に示されるように、改札制御装置４−ｉ（ｉ＝１、２、…、ｍ）は、ユーザが列車１００に乗車するために“新宿駅”の改札機３−ｉを通過するときに、携帯端末５から乗車券情報を読み取ることができる。この場合、図１５に示されるように、携帯端末５は、更に、カード６と、カード６を挿入・装着するためのカード取付部（図示しない）とを具備している。本実施例では、カード６はカード取付部に挿入可能であるものとする。
【００７２】
図１６Ａ〜図１６Ｃは、本発明の第２実施形態による情報提供システムの動作を示すフローチャートである。
【００７３】
まず、（Ａ）ユーザが携帯するカード６が“乗車券”として使用される場合における、第２実施形態による情報提供システムの動作について説明する。
【００７４】
改札制御装置４−１の改札読取部４５は、電波によって読出信号を送信し、ユーザが列車１００に乗車するために“新宿駅”の改札機３−１を通過するときに、携帯端末５内のカード６の情報記憶部６１に格納された乗車券情報を読み取る（ステップＳ３１）。このステップＳ３１において、まず、ユーザは、改札機３−１を通過するために、改札制御装置４−１の読取機４０のアンテナに携帯端末５を近付ける。このとき、読出信号を受信可能な範囲に携帯端末５（カード６）が存在する。携帯端末５内のカード６の情報制御部６２は、読出信号（電波）に応じて、その情報記憶部６１から乗車券情報を読み出して、電波によって返答信号（乗車券情報）を送信する。改札制御装置４−１の改札読取部４５は、携帯端末５（カード６）からの返答信号（乗車券情報）を受信する。
次に、改札制御装置４−１は、上述のステップＳ２、Ｓ３を実行し、サーバ１は、上述のステップＳ４と、上述した（Ａ）の場合の読出処理（ステップＳ５、Ｓ６−ＮＯ、Ｓ７〜Ｓ１３）と、上述のステップＳ１４とを実行する。その後、改札制御装置４−１は、上述のステップＳ１５を実行し、携帯端末５は、上述のステップＳ１６を実行する。
【００７５】
次に、（Ｂ）ユーザが携帯するカード６が“定期券”として使用される場合における、第２実施形態による情報提供システムの動作について説明する。
【００７６】
まず、改札制御装置４−１は、上述のステップＳ３１、Ｓ２、Ｓ３を実行し、サーバ１は、上述のステップＳ４と、上述した（Ｂ）の場合の読出処理（ステップＳ５、Ｓ６−ＹＥＳ、Ｓ１７〜Ｓ２０、Ｓ８〜Ｓ１３）と、上述のステップＳ１４とを実行する。その後、改札制御装置４−１は、上述のステップＳ１５を実行し、携帯端末５は、上述のステップＳ１６を実行する。
【００７７】
本発明の第２実施形態による情報提供システムによれば、第１実施形態による情報提供システムに対して、携帯端末５には、情報記憶部６１と情報制御部６２とを具備するカード６が設けられる。このような場合、ユーザは、改札機３−１を通過するとき、携帯端末５のみを携帯すればよい。
また、本発明の第２実施形態による情報提供システムでは、カード６の機能として情報記憶部６１と情報制御部６２とを携帯端末５に内蔵してもよい。この場合、情報記憶部６１と情報制御部６２は、携帯端末５の記憶装置ない５２内のコンピュータプログラム５４に含まれる。このような場合でも、ユーザは、改札機３−１を通過するとき、携帯端末５のみを携帯すればよい。
【００７８】
（第３実施形態）
本発明の第３実施形態による情報提供システムでは、第１実施形態と重複する説明については省略する。第３実施形態による情報提供システムでは、第１実施形態における改札制御装置４−ｉ（ｉ＝１、２、…、ｍ）とサーバ１とを一体化して改札機３−ｉに設けることができる。
図１７は、本発明の第３実施形態による情報提供システムの構成を示すブロック図である。第３実施形態による情報提供システムは、サーバ８−１〜８−ｍと、携帯端末５と、カード６と、管理サーバ７とを具備している。
管理サーバ７は、サーバ８−１〜８−ｍにネットワーク２を介して接続されている。
サーバ８−１〜８−ｍは、それぞれ、改札機３−１〜３−ｍに設けられている。
【００７９】
図１８は、サーバ８−ｉ（ｉ＝１、２、…、ｍ）の構成を示すブロック図である。サーバ８−ｉは、第１実施形態におけるサーバ１の構成を一部変更したものであり、第１実施形態におけるサーバ１の受信部１５、送信部１６に代えて、第１実施形態における改札制御装置４−ｉの改札読取部４５、改札送信部４６を具備している。また、サーバ８−ｉは、第１実施形態におけるサーバ１の改札機データベース３１、検索用データベース３４に代えて、改札機データベース８１、検索用データベース８４を具備している。サーバ８−ｉは、更に、第１実施形態における改札制御装置４−ｉの読取機４０を具備している。
【００８０】
改札機データベース８１には、図１９に示されるように、乗車地を表す設定乗車地情報が予め格納されている。例えば、サーバ８−１の改札機データベース８１に格納された設定乗車地情報は、“新宿（駅）”を表している。
【００８１】
検索用データベース８４には、図２０に示されるように、乗車地情報、降車地情報、乗車時刻、到着時刻が読出部１７によって格納される。
【００８２】
図２１は、管理サーバ７の構成を示すブロック図である。管理サーバ７は、ネットワーク２に接続された制御装置７１と、記憶装置７２とを具備している。制御装置７１は、実行部であるＣＰＵ７３を具備している。記憶装置７２には、ＣＰＵ７３が実行するためのコンピュータプログラム７４が格納されている。コンピュータプログラム８４は、制御部（制御プログラム）７５を含んでいる。
【００８３】
管理者は、管理サーバ７を用いて、時間帯と地域情報とが該当するサーバ８−１〜８−ｍのイベントデータベース３３−ｊ（ｊ＝１、２、…、ｎ）に、業者により依頼されたイベント情報を更新する。例えば、管理者は、管理サーバ７を用いて、時刻“１０時２０分”と地域情報“田町（田町駅、田町駅周辺）”とに対応するイベント情報に代えて、新しいイベント情報をイベントデータベース３３−４に格納する。この場合、管理サーバ７の制御部７５は、管理者による管理サーバ７の操作に応じて、時刻“１０時２０分”と地域情報“田町（田町駅、田町駅周辺）”と新しいイベント情報とを含む更新制御情報を生成し、サーバ８−１〜８−ｍに送信する。サーバ８−ｉ（ｉ＝１、２、…、ｍ）の読出部１７は、更新処理を実行する。
【００８４】
この更新処理では、サーバ８−ｉの読出部１７のイベントデータベース検索部２６は、更新制御情報に従って、サーバ８−ｉの複数のイベントデータベース３３−１〜３３−ｎの中から、更新制御情報に含まれる時刻“１０時２０分”に対応する時刻が格納されたイベントデータベース３３−４を検索する。サーバ８−ｉの読出部１７の地域情報検索部２７は、複数の地域情報の中から、更新制御情報に含まれる地域情報“田町（田町駅、田町駅周辺）”に一致する地域情報を検索する。サーバ８−ｉの読出部１７のイベント情報検索部２８は、更新制御情報に従って、サーバ８−ｉのイベントデータベース３３−４を参照して、複数のイベント情報の中から、検索された地域情報“田町（田町駅、田町駅周辺）”に対応するイベント情報を読み出す。サーバ８−ｉの読出部１７のイベント情報検索部２８は、読み出されたイベント情報に変えて、更新制御情報に含まれる新しいイベント情報をサーバ８−ｉのイベントデータベース３３−４に格納する。
【００８５】
図２２Ａ〜図２２Ｃは、本発明の第３実施形態による情報提供システムの動作を示すフローチャートである。
【００８６】
まず、（Ａ）ユーザが携帯するカード６が“乗車券”として使用される場合における、第３実施形態による情報提供システムの動作について説明する。
【００８７】
ユーザは、“新宿駅”の改札機３−１に向かう。上述のように、その改札機３−１にはサーバ８−１が設けられている。サーバ８−１の改札読取部４５は、電波によって読出信号を送信し、ユーザが列車１００に乗車するために“新宿駅”の改札機３−１を通過するときに、カード６の情報記憶部６１に格納された乗車券情報を読み取る（ステップＳ４１）。このステップＳ４１において、まず、ユーザは、改札機３−１を通過するために、サーバ８−１の読取機４０のアンテナにカード６を近付ける。このとき、読出信号を受信可能な範囲にカード６が存在する。カード６の情報制御部６２は、読出信号（電波）に応じて、その情報記憶部６１から乗車券情報を読み出して、電波によって返答信号（乗車券情報）を送信する。サーバ８−１の改札読取部４５は、カード６からの返答信号（乗車券情報）を受信する。
【００８８】
サーバ８−１の改札読取部４５は、カード６からの乗車券情報に含まれる乗車地情報、降車地情報が正当な乗車区間であるか否かについて調べ、その乗車券情報に含まれる有効期限が過ぎているか否かについて調べる（ステップＳ４２）。このステップＳ４２についての動作は公知である。
サーバ８−１の改札読取部４５は、カード６からの乗車券情報に含まれる乗車地情報“新宿”、降車地情報“田町”が正当な乗車区間ではない場合、その乗車券情報に含まれる有効期限が過ぎている場合、ユーザによる改札機３−１の通過を禁止する。この場合、サーバ８−１の改札読取部４５は、改札機３−１に設けられた扉が閉じるように、改札機３−１を制御する（ステップＳ４２−ＮＯ）。
サーバ８−１の改札読取部４５は、カード６からの乗車券情報に含まれる乗車地情報、降車地情報が正当な乗車区間である場合、且つ、その乗車券情報に含まれる有効期限が過ぎていない場合、ユーザによる改札機３−１の通過を許可する。この場合、サーバ８−１の改札読取部４５は、改札機３−１に設けられた扉が開くように、改札機３−１を制御する（ステップＳ４２−ＹＥＳ）。
【００８９】
サーバ８−１の改札読取部４５は、ユーザによる改札機３−１の通過を許可した場合、乗車券情報と、乗車券情報を読み取った（受信した）ときの時刻として乗車時刻とを含む読取乗車券情報を生成する（ステップＳ４３）。上記のステップＳ４１にて改札読取部４５は、乗車時刻として“１０時”に乗車券情報を読み取った（受信した）ものとする。
【００９０】
サーバ８−１の読出部１７は、サーバ８−１の記憶装置１２を参照して、読取乗車券情報に含まれる乗車券情報の降車地情報“田町”に対応する降車地イベント情報を読み出す読出処理を実行する。サーバ８−１の読出部１７は、（Ａ）の場合の読出処理として、後述のステップＳ４５、Ｓ４６−ＮＯ、Ｓ４７〜Ｓ５３を実行する。
【００９１】
読出部１７の乗車地情報検索部２１は、読取乗車券情報に含まれる乗車時刻“１０時”を検索用データベース８４に格納する（ステップＳ４５）。
乗車地情報検索部２１は、読取乗車券情報に含まれる乗車券情報の券属性情報が“乗車券”であるか“定期券”であるかを調べる（ステップＳ４６）。その券属性情報が“乗車券”であるため（ステップＳ４６−ＮＯ）、読出部１７の乗車地降車地決定部２２は、読取乗車券情報に含まれる乗車券情報の乗車地情報“新宿（駅）”、降車地情報“田町（駅）”を検索用データベース８４に格納する（ステップＳ４７）。
【００９２】
読出部１７の乗車券情報検索部２３は、所要時間データベース３２と検索用データベース８４とを参照して、複数の参照乗車地情報の中から、乗車地情報“新宿（駅）”に一致する参照乗車地情報“新宿（駅）”を検索し、複数の参照降車地情報の中から、降車地情報“田町（駅）”に一致する参照降車地情報“田町（駅）”を検索する（ステップＳ４８）。
読出部１７の所要時間検索部２４は、所要時間データベース３２を参照して、複数の参照所要時間の中から、ステップＳ４８にて検索された参照乗車地情報“新宿（駅）”と参照降車地情報“田町（駅）”とに対応する参照所要時間“２０分”を検索所要時間として検索する（ステップＳ４９）。
【００９３】
読出部１７の到着時刻決定部２５は、所要時間データベース３２と検索用データベース８４とを参照して、乗車時刻と、検索所要時間とに基づいて、列車１００が降車地“田町”に到着する到着時刻を決定する（ステップＳ５０）。即ち、ステップＳ５０にて、到着時刻決定部２５は、乗車地情報“新宿（駅）”と降車地情報“田町（駅）”とに対応する乗車時刻“１０時”に、参照乗車地情報“新宿（駅）”と参照降車地情報“田町（駅）”とに対応する検索所要時間“２０分”を足して、到着時刻“１０時２０分”を決定する。その後、到着時刻決定部２５は、乗車地情報“新宿（駅）”と降車地情報“田町（駅）”と乗車時刻“１０時”とに対応付けて、到着時刻“１０時２０分”を検索用データベース８４に格納する。
【００９４】
読出部１７のイベントデータベース検索部２６は、検索用データベース８４を参照して、複数のイベントデータベース３３−１〜３３−ｎの中から、到着時刻“１０時２０分”に対応する時刻が格納されたイベントデータベース３３−４を検索イベントデータベースとして検索する（ステップＳ５１）。ここで、到着時刻“１０時２０分”に対応する時刻とは、時刻が５分刻みであり、イベントデータベース３３−１に格納された時刻が“１０時”である場合、“１０時１６分”〜“１０時２０分”の間の時間帯を表している。
読出部１７の地域情報検索部２７は、検索イベントデータベース３３−４と検索用データベース８４とを参照して、複数の地域情報の中から、降車地情報“田町（駅）”に一致する地域情報“田町（田町駅、田町駅周辺）”を検索する（ステップＳ５２）。
読出部１７のイベント情報検索部２８は、検索イベントデータベース３３−４を参照して、複数のイベント情報の中から、ステップＳ５２にて検索された地域情報“田町（田町駅、田町駅周辺）”に対応するイベント情報（天気情報、交通情報、広告情報、テレビ情報、経路情報）を降車地イベント情報として読み出す（ステップＳ５３）。
【００９５】
サーバ８−１の改札送信部４６は、読出部１７により読み出された降車地イベント情報（天気情報、交通情報、広告情報、テレビ情報、経路情報）が携帯端末５の表示装置５０に表示されるように、降車地イベント情報を携帯端末５に送信する。このとき、改札送信部４６は、読出部１７により読み出された降車地イベント情報を携帯端末５に送信すると共に、その降車地イベント情報を表示装置５０に表示させる制御信号である降車地イベント情報表示指示を携帯端末５に送信する（ステップＳ５５）。サーバ８−１の改札送信部４６は、降車地イベント情報と降車地イベント情報表示指示とを携帯端末５に送信した後、検索用データベース８４に格納された乗車地情報“新宿（駅）”と降車地情報“田町（駅）”と乗車時刻“１０時”と到着時刻“１０時２０分”とを消去する。
【００９６】
携帯端末５の制御部５５は、降車地イベント情報表示指示に従って、サーバ８−１からの降車地イベント情報を表示装置５０に表示する（ステップＳ５６）。制御部５５は、ユーザによる携帯端末５の操作として保存指示に応じて、表示装置５０に表示された降車地イベント情報を記憶装置５２に格納し、ユーザによる携帯端末５の操作として表示指示に応じて、記憶装置５２に格納された降車地イベント情報を表示装置５０に表示することができる。
【００９７】
本発明の第３実施形態による情報提供システムによれば、上述のように、検索イベントデータベース３３−４には、複数の地域情報と複数のイベント情報とが予め格納されている。これにより、ユーザが、列車１００に乗車するために、現在地（乗車地）“新宿（駅）”からカード６を用いて改札機３−１を通過するとき、サーバ８−１は、複数の地域の中から、目的地（降車地）“田町（駅）”に応じた情報として降車地イベント情報を検索イベントデータベース３３−４から読み出して、携帯端末５の表示装置５０に表示させることができる。
ユーザは、列車１００に乗る際に目的地（降車地）“田町（駅）”を決めている場合がある。また、ユーザは、目的地“田町（駅）”に移動することを決めていても、目的地“田町（駅）”での予定（行動）を決めていない場合もある。このような場合でも、現在地（乗車地）“新宿（駅）”からカード６を用いて改札機３−１を通過するときに、携帯端末５の表示装置５０に降車地イベント情報が表示される。このため、ユーザは、乗車地“新宿（駅）”から改札機３−１を通過した後や列車１００に乗っている間に、表示装置５０に表示された降車地イベント情報を閲覧して、目的地“田町（駅）”での予定を決定することができる。ユーザは、目的地“田町（駅）”に移動したときに、目的地“田町（駅）”で時間を無駄にすることはない。
また、ユーザは、複数の地域のうちの１つを目的地（降車地）として、鉄道会社、又は、鉄道会社と提携する業者にカード６を発行してもらえば、どの地域を目的地にしても、本発明の第３実施形態による情報提供システムでは、その目的地に応じた情報をユーザに提供することができる。
このように、本発明の第３実施形態による情報提供システムによれば、ユーザが列車１００に乗るときに、複数の地域の中から、目的地に応じた情報（降車地イベント情報）をユーザに提供することができる。
【００９８】
本発明の第３実施形態による情報提供システムによれば、上述のように、所要時間データベース３２には、複数の参照乗車地情報と複数の参照降車地情報と複数の参照所要時間とが予め格納されている。また、複数のイベントデータベース３３−１〜３３−ｎの各々には、複数の地域情報と複数のイベント情報とが格納されている。また、複数のイベントデータベース３３−１〜３３−ｎには、それぞれ複数の時刻が更に格納されている。これにより、ユーザが、列車１００に乗車するために、現在地（乗車地）“新宿（駅）”からカード６を用いて改札機３−１を通過するとき、サーバ８−１は、所要時間データベース３２を参照して、乗車地情報“新宿（駅）”と降車地情報“田町（駅）”とに対応する到着時刻“１０時２０分”を乗車時刻“１０時”と検索所要時間“２０分”とに基づいて決定し、複数のイベントデータベース３３−１〜３３−ｎの中から、到着時刻“１０時２０分”に対応する検索イベントデータベース３３−４を検索することができる。その結果、サーバ８−１は、複数の地域の中から、目的地（降車地）“田町（駅）”に応じた情報として降車地イベント情報を検索イベントデータベース３３−４から読み出して、携帯端末５の表示装置５０に表示させることができる。
このように、本発明の第３実施形態による情報提供システムによれば、ユーザが列車１００に乗るときに、複数の地域の中から、到着時刻“１０時２０分”と目的地“田町（駅）”とに応じた情報（降車地イベント情報）をユーザに提供することができる。このため、ユーザは、目的地“田町（駅）”に移動したときに、目的地“田町（駅）”で到着時刻“１０時２０分”以降の時間帯を無駄にすることはない。
【００９９】
次に、（Ｂ）ユーザが携帯するカード６が“定期券”として使用される場合における、第３実施形態による情報提供システムの動作について説明する。
【０１００】
まず、サーバ８−１は、上述のステップＳ４１〜Ｓ４３を実行し、読出処理を実行する。読出部１７は、（Ｂ）の場合の読出処理として、後述のステップＳ４５、Ｓ４６−ＹＥＳ、Ｓ５７〜Ｓ６０、Ｓ４８〜Ｓ５３を実行する。
【０１０１】
読出部１７の乗車地情報検索部２１は、読取乗車券情報に含まれる乗車時刻“１０時”とを検索用データベース８４に格納する（ステップＳ４５）。
乗車地情報検索部２１は、読取乗車券情報に含まれる乗車券情報の券属性情報が“乗車券”であるか“定期券”であるかを調べる（ステップＳ４６）。その券属性情報が“定期券”であるため（ステップＳ４６−ＹＥＳ）、乗車地情報検索部２１は、改札機データベース８１を参照して、読取乗車券情報に含まれる乗車券情報の第１乗車地情報が、設定乗車地情報“新宿（駅）”と一致するか否かを調べる（ステップＳ４８）。
ここで、読取乗車券情報に含まれる乗車券情報の第１乗車地情報“新宿（駅）”が、設定乗車地情報“新宿（駅）”と一致する（ステップＳ４８−ＹＥＳ）。この場合、読出部１７の乗車地降車地決定部２２は、読取乗車券情報に含まれる乗車券情報の第１乗車地情報“新宿（駅）”、第２乗車地情報“田町（駅）”をそれぞれ乗車地情報、降車地情報として決定し、検索用データベース８４に格納する（ステップＳ４９）。
例えば、読取乗車券情報に含まれる乗車券情報の第１乗車地情報が、設定乗車地情報と一致しない場合もある。即ち、読取乗車券情報に含まれる乗車券情報の第２乗車地情報が、設定乗車地情報と一致する場合である（ステップＳ４８−ＮＯ）。この場合では、乗車地降車地決定部２２は、読取乗車券情報に含まれる乗車券情報の第２乗車地情報、第１乗車地情報をそれぞれ乗車地情報、降車地情報として決定し、検索用データベース３４に格納する（ステップＳ５０）。
【０１０２】
次に、サーバ８−１は、（Ｂ）の場合の読出処理において、上述のステップＳ４８〜Ｓ５３、Ｓ５５を実行する。その後、携帯端末５は、上述のステップＳ５６を実行する。
【０１０３】
本発明の第３実施形態による情報提供システムによれば、上述のように、改札機データベース８１には、設定乗車地情報“新宿（駅）”が格納されている。カード６（乗車券情報）が定期券として使われる場合、カード６の情報記憶部６１には、第１乗車地情報と第２乗車地情報とが格納されていて、乗車地情報と降車地情報との区別がない。このような場合、ユーザが、列車１００に乗車するために、現在地（乗車地）“新宿（駅）”からカード６を用いて改札機３−１を通過するとき、サーバ８−１は、改札機データベース８１を参照して、設定乗車地情報“新宿（駅）”と一致する第１乗車地情報と第２乗車地情報との一方を乗車地情報とすればよい。
このように、本発明の第３実施形態による情報提供システムによれば、カード６（乗車券情報）が定期券として使われる場合でも、上述の効果を実現することができる。
【０１０４】
（第４実施形態）
本発明の第４実施形態による情報提供システムでは、第１実施形態〜第３実施形態と重複する説明については省略する。第４実施形態による情報提供システムでは、図２３に示されるように、第３実施形態におけるサーバ８−ｉ（ｉ＝１、２、…、ｍ）は、ユーザが列車１００に乗車するために“新宿駅”の改札機３−ｉを通過するときに、第２実施形態における携帯端末５から乗車券情報を読み取ることができる。
【０１０５】
図２４Ａ〜図２４Ｃは、本発明の第４実施形態による情報提供システムの動作を示すフローチャートである。
【０１０６】
まず、（Ａ）ユーザが携帯するカード６が“乗車券”として使用される場合における、第４実施形態による情報提供システムの動作について説明する。
【０１０７】
サーバ８−１の改札読取部４５は、電波によって読出信号を送信し、ユーザが列車１００に乗車するために“新宿駅”の改札機３−１を通過するときに、携帯端末５内のカード６の情報記憶部６１に格納された乗車券情報を読み取る（ステップＳ７１）。このステップＳ７１において、まず、ユーザは、改札機３−１を通過するために、サーバ８−１の読取機４０のアンテナに携帯端末５を近付ける。このとき、読出信号を受信可能な範囲に携帯端末５（カード６）が存在する。携帯端末５内のカード６の情報制御部６２は、読出信号（電波）に応じて、その情報記憶部６１から乗車券情報を読み出して、電波によって返答信号（乗車券情報）を送信する。サーバ８−１の改札読取部４５は、携帯端末５（カード６）からの返答信号（乗車券情報）を受信する。
次に、サーバ８−１は、上述のステップＳ４２、Ｓ４３を実行し、上述した（Ａ）の場合の読出処理（ステップＳ４５、Ｓ４６−ＮＯ、Ｓ４７〜Ｓ５３）と、上述のステップＳ５５とを実行する。その後、携帯端末５は、上述のステップＳ５６を実行する。
【０１０８】
次に、（Ｂ）ユーザが携帯するカード６が“定期券”として使用される場合における、第４実施形態による情報提供システムの動作について説明する。
【０１０９】
まず、サーバ８−１は、上述のステップＳ７１、Ｓ４２、Ｓ４３を実行し、上述した（Ｂ）の場合の読出処理（ステップＳ４５、Ｓ４６−ＹＥＳ、Ｓ５８〜Ｓ６０、Ｓ４８〜Ｓ５３）と、上述のステップＳ５５とを実行する。その後、携帯端末５は、上述のステップＳ５６を実行する。
【０１１０】
本発明の第４実施形態による情報提供システムによれば、第３実施形態による情報提供システムに対して、携帯端末５には、情報記憶部６１と情報制御部６２とを具備するカード６が設けられる。このような場合、ユーザは、改札機３−１を通過するとき、携帯端末５のみを携帯すればよい。
また、本発明の第４実施形態による情報提供システムでは、カード６の機能として情報記憶部６１と情報制御部６２とを携帯端末５に内蔵してもよい。この場合、情報記憶部６１と情報制御部６２は、携帯端末５の記憶装置ない５２内のコンピュータプログラム５４に含まれる。このような場合でも、ユーザは、改札機３−１を通過するとき、携帯端末５のみを携帯すればよい。
【０１１１】
ここで、本発明の情報提供システムと、特許文献１〜３に記載されたシステムとの違いについて述べる。
【０１１２】
本発明の情報提供システムによれば、ユーザが列車１００に乗るときに、目的地に応じた情報（降車地イベント情報）をユーザに提供することができる。これにより、ユーザは、目的地“田町（駅）”に移動することを決めていても、目的地“田町（駅）”での予定（行動）を決めていない場合、現在地（乗車地）“新宿（駅）”からカード６を用いて改札機３−１を通過するときに、携帯端末５の表示装置５０に降車地イベント情報が表示される。このため、ユーザは、乗車地“新宿（駅）”から改札機３−１を通過した後や列車１００に乗っている間に、表示装置５０に表示された降車地イベント情報を閲覧して、目的地“田町（駅）”での予定を決定することができる。ユーザは、目的地“田町（駅）”に移動したときに、目的地“田町（駅）”で時間を無駄にすることはない。
【０１１３】
一方、特許文献１、２に記載されたシステムでは、ユーザがカードを用いて改札機を通過するとき、広告（広告情報）をユーザに提供する。このシステムでは、ユーザがカードを用いて改札機を通過するときに、改札機の表示器に広告情報が表示されるが、携帯端末の表示装置に降車地イベント情報が表示されない。このため、ユーザは、目的地に移動することを決めていても、目的地での予定（行動）を決めていない場合、目的地に移動しても目的地での予定を決定するまで時間を無駄にする可能性がある。
【０１１４】
また、特許文献３に記載されたシステムでは、ユーザが、列車から降車し、カードを用いて改札機を通過するとき、ユーザが現在いる地域（駅周辺）の情報・広告をユーザに提供する。このシステムでは、ユーザがカードを用いて改札機を通過するときに、携帯端末の表示装置に、ユーザが現在いる地域（駅周辺）の地域の情報・広告が表示される。ユーザは、目的地（降車地）に移動したときに、携帯端末の表示装置に表示された地域（駅周辺）の情報・広告を閲覧して、目的地での予定を決定することになる。このため、ユーザは、目的地に移動することを決めていても、目的地での予定（行動）を決めていない場合、目的地に移動しても目的地での予定を決定するまで時間を無駄にする可能性がある。
【０１１５】
以上の説明により、本発明の情報提供システムは、ユーザが乗物（列車１００）に乗るときに、目的地に応じた情報をユーザに提供することができる。
【図面の簡単な説明】
【０１１６】
【図１】図１は、本発明の情報提供システムの概念を示している。（第１実施形態〜第４実施形態）
【図２】図２は、本発明の情報提供システムの構成を示すブロック図である。（第１実施形態）
【図３】図３は、本発明の情報提供システムにおける携帯端末５の構成を示すブロック図である。（第１実施形態、第３実施形態）
【図４】図４は、本発明の情報提供システムにおけるカード６の構成を示すブロック図である。（第１実施形態〜第４実施形態）
【図５】図５は、乗車券として使用される乗車券情報を表している。（第１実施形態〜第４実施形態）
【図６】図６は、定期券として使用される乗車券情報を表している。（第１実施形態〜第４実施形態）
【図７】図７は、本発明の情報提供システムにおける改札制御装置４−ｉ（ｉ＝１、２、…、ｍ）の構成を示すブロック図である。（第１実施形態、第２実施形態）
【図８】図８は、本発明の情報提供システムにおけるサーバ１の構成を示すブロック図である。（第１実施形態、第２実施形態）
【図９】図９は、本発明の情報提供システムにおける改札機データベース３１に格納される内容を示している。（第１実施形態、第２実施形態）
【図１０】図１０は、本発明の情報提供システムにおける所要時間データベース３２に格納される内容を示している。（第１実施形態〜第４実施形態）
【図１１】図１１は、本発明の情報提供システムにおけるイベントデータベース３３−ｊ（ｊ＝１、２、…、ｎ）に格納される内容を示している。（第１実施形態〜第４実施形態）
【図１２】図１２は、本発明の情報提供システムにおける検索用データベース３４に格納される内容を示している。（第１実施形態、第２実施形態）
【図１３Ａ】図１３Ａは、本発明の情報提供システムの動作を示すフローチャートである。（第１実施形態）
【図１３Ｂ】図１３Ｂは、本発明の情報提供システムの動作を示すフローチャートである。（第１実施形態）
【図１３Ｃ】図１３Ｃは、本発明の情報提供システムの動作を示すフローチャートである。（第１実施形態）
【図１４】図１４は、本発明の情報提供システムの構成を示すブロック図である。（第２実施形態）
【図１５】図１５は、本発明の情報提供システムにおける携帯端末５の構成を示すブロック図である。（第２実施形態、第４実施形態）
【図１６Ａ】図１６Ａは、本発明の情報提供システムの動作を示すフローチャートである。（第２実施形態）
【図１６Ｂ】図１６Ｂは、本発明の情報提供システムの動作を示すフローチャートである。（第２実施形態）
【図１６Ｃ】図１６Ｃは、本発明の情報提供システムの動作を示すフローチャートである。（第２実施形態）
【図１７】図１７は、本発明の情報提供システムの構成を示すブロック図である。（第３実施形態）
【図１８】図１８は、本発明の情報提供システムにおけるサーバ８−ｉ（ｉ＝１、２、…、ｍ）の構成を示すブロック図である。（第３実施形態、第４実施形態）
【図１９】図１９は、本発明の情報提供システムにおける改札機データベース８１に格納される内容を示している。（第３実施形態、第４実施形態）
【図２０】図２０は、本発明の情報提供システムにおける検索用データベース８４に格納される内容を示している。（第３実施形態、第４実施形態）
【図２１】図２１は、本発明の情報提供システムにおける管理サーバ７の構成を示すブロック図である。（第３実施形態、第４実施形態）
【図２２Ａ】図２２Ａは、本発明の情報提供システムの動作を示すフローチャートである。（第３実施形態）
【図２２Ｂ】図２２Ｂは、本発明の情報提供システムの動作を示すフローチャートである。（第３実施形態）
【図２２Ｃ】図２２Ｃは、本発明の情報提供システムの動作を示すフローチャートである。（第３実施形態）
【図２３】図２３は、本発明の情報提供システムの構成を示すブロック図である。（第４実施形態）
【図２４Ａ】図２４Ａは、本発明の情報提供システムの動作を示すフローチャートである。（第４実施形態）
【図２４Ｂ】図２４Ｂは、本発明の情報提供システムの動作を示すフローチャートである。（第４実施形態）
【図２４Ｃ】図２４Ｃは、本発明の情報提供システムの動作を示すフローチャートである。（第４実施形態）
【符号の説明】
【０１１７】
１    サーバ
２    ネットワーク
３−１〜３−ｍ    改札機
４−１〜４−ｍ    改札制御装置
５    携帯端末
６    カード
７    管理サーバ
８−１〜８−ｍ    サーバ
１１    制御装置
１２    記憶装置
１３    ＣＰＵ
１４    コンピュータプログラム
１５    受信部
１６    送信部
１７    読出部
２１    乗車地情報検索部
２２    乗車地降車地決定部
２３    乗車券情報検索部
２４    所要時間検索部
２５    到着時刻決定部
２６    イベントデータベース検索部
２７    地域情報検索部
２８    イベント情報検索部
３１    改札機データベース
３２    所要時間データベース
３３−１〜３３−ｎ    複数のイベントデータベース
３４    検索用データベース
４０    読取機
４１    制御装置
４２    記憶装置
４３    ＣＰＵ
４４    コンピュータプログラム
４−１’〜４−ｍ’    検索アドレス
４５    改札読取部
４６    改札送信部
５０    表示装置
５１    制御装置
５２    記憶装置
５３    ＣＰＵ
５４    コンピュータプログラム
５５    制御部
６１    情報記憶部
６２    情報制御部
７１    制御装置
７２    記憶装置
７３    ＣＰＵ
７４    コンピュータプログラム
７５    制御部
８１    改札機データベース
８４    検索用データベース
１００    列車
１０１−ｘ、１０１−ｙ    駅
【図１】
2006127430.tif 000003
【図２】
2006127430.tif 000004
【図３】
2006127430.tif 000005
【図４】
2006127430.tif 000006
【図５】
2006127430.tif 000007
【図６】
2006127430.tif 000008
【図７】
2006127430.tif 000009
【図８】
2006127430.tif 000010
【図９】
2006127430.tif 000011
【図１０】
2006127430.tif 000012
【図１１】
2006127430.tif 000013
【図１２】
2006127430.tif 000014
【図１３Ａ】
2006127430.tif 000015
【図１３Ｂ】
2006127430.tif 000016
【図１３Ｃ】
2006127430.tif 000017
【図１４】
2006127430.tif 000018
【図１５】
2006127430.tif 000019
【図１６Ａ】
2006127430.tif 000020
【図１６Ｂ】
2006127430.tif 000021
【図１６Ｃ】
2006127430.tif 000022
【図１７】
2006127430.tif 000023
【図１８】
2006127430.tif 000024
【図１９】
2006127430.tif 000025
【図２０】
2006127430.tif 000026
【図２１】
2006127430.tif 000027
【図２２Ａ】
2006127430.tif 000028
【図２２Ｂ】
2006127430.tif 000029
【図２２Ｃ】
2006127430.tif 000030
【図２３】
2006127430.tif 000031
【図２４Ａ】
2006127430.tif 000032
【図２４Ｂ】
2006127430.tif 000033
【図２４Ｃ】
2006127430.tif 000034